(57)【特許請求の範囲】
【請求項１】
フレキシブルな表示媒体である電子ペーパと、この電子ペーパを複数枚装着することができる本体とからなる電子ペーパファイルであって、データに基づく表示を光シャッタ機能を利用して行う表示シートと、当該表示シートを照明する発光シートとを含んで構成された上記電子ペーパが、目印を表すための上記表示である目印表示を上記表示シートの側辺にて行い、かつ、その側辺を上記発光シートにて照明して、当該電子ペーパの端を含む側部分に目印が表される制御を行う目印表示制御手段を備えたことを特徴とする電子ペーパファイル。
【請求項２】
上記発光シートは、行電極と列電極を備え、目印部分のみの照明が可能な請求項１に記載の電子ペーパファイル。
【請求項３】
上記表示シートは、上記目印表示の表示がされる部分における表示媒体の配向性が他の部分と異なったものである請求項１または２に記載の電子ペーパファイル。
【請求項４】
上記目印表示制御手段は、上記目印の表示位置・目印の色・目印の表示方法のうちの少なくとも一つを示す目印データに基づいて、上記目印を表す制御を行う請求項１、２、３のいずれかに記載の電子ペーパファイル。
【請求項５】
上記目印表示制御手段は、上記目印データを保持しておくことによって、このように保持しておいた目印データに基づいて、電源が切られた後にも上記目印を表す制御を行う請求項４に記載の電子ペーパファイル。
【請求項６】
上記目印表示制御手段は、上記目印データを保持しておくことによって、このように保持しておいた目印データに基づいて、電源が切られたのち再度電源が入れたときに上記目印を表す制御を行う請求項４に記載の電子ペーパファイル。
【請求項７】
さらに、上記電子ペーパに表示をする表示用データを記憶する記憶手段を上記本体または上記電子ペーパに備えた請求項１、２、３のいずれかに記載の電子ペーパファイル。
【請求項８】
さらに、上記電子ペーパに表示をする表示用データと、この表示用データに対応する目印データとを、それらのデータに基づく表示を行うように上記目印表示制御手段に指示を出す目印設定手段を備えた請求項１、２、３のいずれかに記載の電子ペーパファイル。
【請求項９】
上記目印設定手段は、上記電子ペーパの表示部に表示がされている表示用データを選択し、このように選択した表示用データと、この表示用データに対応する目印データとを、それらのデータに基づく表示を行うように上記目印表示制御手段に指示を出す請求項８に記載の電子ペーパファイル。
【請求項１０】
上記目印設定手段は、見開かれた状態の電子ペーパを検出し、このように検出した電子ペーパに表示がされている表示用データと、この表示用データに対応する目印データとを、それらのデータに基づく表示を行うように上記目印表示制御手段に指示を出す請求項８に記載の電子ペーパファイル。
【請求項１１】
さらに、上記電子ペーパに目次または索引を表示する制御を行う目次索引表示制御手段を備えた請求項１、２、３のいずれかに記載の電子ペーパファイル。
【請求項１２】
さらに、検索対象のデータを選択する選択手段と、この選択手段によって選択されたデータに基づいて表示用データを検索する検索制御手段と、この検索制御手段の検索結果に基づいた目印を表す制御を行う上記目印表示制御手段とを備えた請求項１１に記載の電子ペーパファイル。
【請求項１３】
上記選択手段は、上記電子ペーパに表示がされている目次・索引・表示用データのうちの少なくとも１つに基づいて検索対象のデータを選択する請求項１２に記載の電子ペーパファイル。
【請求項１４】
上記目印表示制御手段は、所定数の電子ペーパをグループとして管理し、同一グループに属する全ての電子ペーパが同一の目印を表すように制御する請求項１１に記載の電子ペーパファイル。
【請求項１５】
上記目印表示制御手段は、上記電子ペーパが複数枚重ね合わされた側面にて目印が表される制御を行う請求項１、２、３のいずれかに記載の電子ペーパファイル。
【請求項１６】
さらに、上記電子ペーパが複数枚重ねた合わされた側面に目印を書き込む書き込み手段を備えた請求の範囲第１５項に記載の電子ペーパファイル。
【請求項１７】
上記表示シートの表示媒体として不揮発性表示媒体を使用した請求項１、２、３のいずれかに記載の電子ペーパファイル。
【請求項１８】
上記発光シートの発光媒体として有機あるいは無機のエレクトロルミネセンスを使用した請求項１、２、３のいずれかに記載の電子ペーパファイル。
【請求項１９】
物理的な接続機能と電気的な接続機能とを兼ねた雄雌一対の接続端子の一方を上記電子ペーパの表示部の一方端に備えるとともに、この接続端子の他方を上記本体に備えることによって、該電子ペーパと該本体とを着脱自在とした請求項１から１６のいずれかに記載の電子ペーパファイル。
【請求項２０】
上記他方の接続端子の本体上の配列位置を固定にした請求項１９に記載の電子ペーパファイル。
【請求項２１】
上記他方の接続端子を備えた複数の可動軸片を、相互に回転自在に軸方向に継ぎ合わせて接続体を構成するとともに、当該接続体を本体に対して回動自在に固定した請求項１９に記載の電子ペーパファイル。
【請求項２２】
上記他方の接続端子に対する一方の接続端子の着脱状況を検知する着脱検知手段と、この着脱検知手段が検知した着脱状況に基づいて上記目印を表す制御を行う上記目印表示制御手段とを備えた請求項１９に記載の電子ペーパファイル。
【請求項２３】
フレキシブルな表示媒体である電子ペーパにおいて表示がされる表示用データの一部に対して所定形態で表される目印を設定するための目印設定システムであって、
上記目印を設定する対象となるデータを上記表示用データの中から指定し、かつ、上記目印を表す形態についての情報である目印形態情報を、そのように指定したデータに対して設定する目印設定手段を含み備え、
上記目印設定手段は、上記目印を表すための上記表示である目印表示の表示範囲を設定する際に、一の目印表示の表示範囲が他の目印表示の表示範囲と重なっているか否を判断する形態確認手段を備えたことを特徴とする目印設定システム。
【請求項２４】
上記形態確認手段は、一の電子ペーパに表示がされるデータに対して設定された上記目印形態情報と、この電子ペーパと隣り合う電子ペーパに表示がされるデータに対して設定された上記目印形態情報とが同一であるか否かを判断する請求項２３に記載の目印設定システム。
【請求項２５】
コンピュータを、
フレキシブルな表示媒体である電子ペーパに表示がされる表示用データの一部に対して所定形態で表される目印を設定するために、
この目印を設定する対象となるデータを上記表示用データの中から指定し、かつ、上記目印を表す形態についての情報である目印形態情報をそのように指定したデータに対して設定する目印設定手段と、
上記目印設定手段において、上記目印を表すための上記表示である目印表示の表示範囲を設定する際に、一の目印表示の表示範囲が他の目印表示の表示範囲と重なっているか否かを判断する形態確認手段と、として機能させるためのプログラム。
【発明の詳細な説明】
【０００１】
【技術分野】
本発明は、フレキシブルな表示媒体である電子ペーパを複数まとめてノート状にした電子ペーパファイルに関する。
【０００２】
【背景技術】
情報化社会の発展に伴い、ＣＲＴ（Cathode Ray Tube）やＬＣＤ（liquid crystal display）等の表示媒体の性能も急速に向上している。しかしながら、これら表示媒体は、読みやすさ・使いやすさの点でいえば、古くから情報媒体として使用されている“紙”に優るものとはなっていない。そこで、フレキシブルな表示媒体として“電子ペーパ”という新しい概念が提案されるようになり、この電子ペーパの実現技術として様々な方式が検討されてきた（日本画像学会発行「Japan Hardcopy '99  論文集」P209〜P251参照）。
【０００３】
さらに、近年では、電子ペーパを複数まとめてノート状にした電子ペーパファイルも提案されている（特表平１１−５０２９５０号公報等）。このような電子ペーパファイルによれば、多数の電子ペーパを管理するのが容易になるだけでなく、電子ペーパをさらに読みやすく使いやすい表示媒体として活用することができる。
【０００４】
しかしながら、上記従来の電子ペーパファイルには、本体に多数の電子ペーパが装着されている場合は、その中から所望のページを見つけるのが困難であるという課題があった。本発明は、上記従来の事情に基づいて提案されたものであって、所望のページを容易に見つけられるようにすることを目的とする。
【０００５】
【発明の開示】
本発明は上記目的を達成するために以下の手段を採用している。
【０００６】
すなわち、本発明は、フレキシブルな表示媒体である電子ペーパと、この電子ペーパを複数枚装着することができる本体とからなる電子ペーパファイルを前提としている。そして、この電子ペーパファイルにおいて、上記電子ペーパに目印を表示する制御を行う目印表示制御手段を備えたことを特徴とする。
【０００７】
このような電子ペーパファイルによると、所定の文字列等が表示された電子ペーパへ目印を表示することができるので、ユーザは、所望のページを容易に見つけることができる。
【０００８】
【発明を実施するための最良の形態】
［実施の形態１］
まず、本発明を適用した電子ペーパファイルは、図１と図５に示すように、表表紙２６１・裏表紙２６２・背板３１を備えた本体２０と、この本体２０に着脱自在に装着された少なくとも１枚の電子ペーパ１０（ｅ）とからなる（e：電子ペーパを区別するための正の整数）。
【０００９】
本体２０の背板３１には、所定のデータ及び目印を電子ペーパ１０（ｅ）に表示するための制御を行う制御部４２が備えられている。すなわち、電子ペーパ１０（ｅ）は、外部から入力された所定のデータ及び以下に説明する目印を表示することができるようになっている。
【００１０】
電子ペーパ１０（ｅ）は、図２及び図３に示すように、データ表示領域である表示部１１と、この表示部１１を駆動するための領域である表示駆動部１２とからなる。そして、電子ペーパ１０（ｅ）の表示部１１の側辺には目印１４が表示されるようになっている。
【００１１】
上記側辺は、図２に示すように、右側辺１１０と左側辺１１１と上側辺１１２と下側辺１１３とに分類することができる。右側辺１１０とは、表示駆動部１２に対向した側辺をいう。左側辺１１１とは、表示駆動部１２と接する側辺をいう。上側辺１１２とは、表示部１１の上側部分の側辺をいう。下側辺１１３とは、表示部１１の下側部分の側辺をいう。
【００１２】
以下、単に「側辺」と記載した場合は右側辺１１０を指す。したがって、図１から図３では、右側辺１１０・左側辺１１１・上側辺１１２・下側辺１１３のうち、右側辺１１０だけは網掛けしている。
【００１３】
上記目印１４の大きさは、厚み１４１と幅１４２と高さ１４３とで表す。目印１４の厚み１４１は表示部１１の厚みに等しい。また、図２でいうと、目印１４の幅１４２は目印１４の行方向の長さに相当し、目印１４の高さ１４３は目印１４の列方向の長さに相当する。
【００１４】
本発明で採用する目印１４はユーザが視認できればよく、その態様は上記した態様に限定されるものではない。すなわち、目印１４は、表示部１１の右側辺１１０だけでなく、左側辺１１１・上側辺１１２・下側辺１１３に表示してもよい。目印１４の大きさも、図２に示した大きさに限定されない。
【００１５】
上記制御部４２は、図５に示すように、信号授受手段２２と表示制御手段２３と記憶手段２８とを備えている。信号授受手段２２は、他の電子ペーパファイルやパーソナル・コンピュータ等から文字や画像データ等の電子データを受け取り、この電子データを、電子ペーパ１０（ｅ）に表示するためのデータ（以下「表示用データ」という）として記憶手段２８に記憶する。表示制御手段２３は、このように記憶手段２８に記憶された表示用データを各電子ペーパ１０（ｅ）に渡す。
【００１６】
上記記憶手段２８としては、本体２０に内蔵されているＩＣメモリや、ＩＣカード等の記憶媒体を採用することができる。この記憶手段２８は、制御部４２に備えるのではなく各電子ペーパ１０（ｅ）に備えてもよい。
【００１７】
上記表示制御手段２３は、後述する目印データに基づいて、各電子ペーパ１０（ｅ）の表示部１１に表示されているページ番号や段落番号等に対応した目印を表示するための制御を行う。すなわち、表示制御手段２３は、後述するように、各電子ペーパ１０（ｅ）と、これら電子ペーパ１０（ｅ）に表示されたページ番号等とを対応付けて管理している。このような管理をするために、電子ペーパの識別番号（以下「電子ペーパ番号」という）や表示用データのページ番号等の情報は記憶手段２８に記憶されている。
【００１８】
なお、上記した電子ペーパ１０（ｅ）の管理は、表示制御手段２３でなく、制御部４２に備えた別の手段が行ってもよい。すなわち、表示制御手段２３が行うのは純粋な表示制御のみとし、上記した電子ペーパ１０（ｅ）の管理など、純粋な表示制御と呼べないものは別の手段が行うようにしてもかまわない。以下、目印を表示する制御を行う表示制御手段２３のことを特に「目印表示制御手段」という場合がある。
【００１９】
上記目印データには、目印の表示位置や目印の色等を示す情報が含まれる。この目印データは、後述する目印設定システムによって作成され、目印設定手段３５内の記憶手段（図示せず）に記憶されるようになっている。もちろん、目印設定手段３５内の記憶手段ではなく上記記憶手段２８に目印データを記憶するようにしてもよい。
【００２０】
上記目印設定手段３５は、上記記憶手段２８に記憶されている表示用データ（例えば百科事典）の中から、所望の表示用データ（例えば、当該百科事典の２０１ページ）を選択する機能を備えている。そして、表示用データが選択されると、この表示用データとそれに対応する目印データとを表示制御手段２３に渡す。
【００２１】
上記のように表示制御手段２３に渡す目印データは、目印設定手段３５内の記憶手段から取得すればよい。また、目印設定手段３５は、上記表示用データに代えて、この表示用データを特定することができる情報（例えば、ページ番号や段落番号等の情報）を表示用制御手段２３に渡すようにしてもよい。
【００２２】
上記目印設定手段３５は、所望のページを選択するためのページ選択キー５３と、このページ選択キー５３によって選択されたページ番号を表示するページ表示部５２とからなる。なお、ページ選択キー５３は、戻しキー５３ａと決定キー５３ｂと送りキー５３ｃとからなる。
【００２３】
図１では、目印設定手段３５を表表紙２６１に配置した構成を例示しているが、目印設定手段３５を配置する位置は裏表紙２６２でもよい。また、ここでは複数のキーからなる目印設定手段３５を例示しているが、目印設定手段３５の実現方法はこれに限定されるものではない。例えば、表紙表示部２７１に表示されたメニューと本体２０に別途接続したキーボードとを用いることによって所望のページを選択するようにしても同様の効果が得られる。
【００２４】
上記目印設定手段３５を各電子ペ−パ１０（ｅ）に備えるようにしてもよい。この場合は、各電子ペーパ１０（ｅ）の表示部１１にデジタイザやタッチ・パネル等の機能を備えておく。このようにすれば、電子ペ−パ１０（ｅ）に目印１４を表示させたい場合は、所望のページが表示されている電子ペーパの表示部に筆記具や手等を接触することによって、このページを選択することができる。
【００２５】
もっとも、目印設定手段３５が選択するのはページに限らない。すなわち、後に説明するように、ページ中に含まれる文字列等を目印設定手段３５によって選択できるようにしてもよい。
【００２６】
上記表示制御手段２３は、目印設定手段３５から受け取った表示用データ（ここではページ番号と目印データ）を、この表示制御手段２３内の記憶手段（図示せず）に記憶しておく。そして、このように記憶されたページ番号のページが電子ペーパに表示されたとき、上記目印データに基づいて、このページ番号に対応する目印を当該電子ペーパに表示する制御を行う。
【００２７】
ところで、上記電子ペーパの表示部１１は、図４に示すように、所定の表示媒体を備えた表示シートＡと、この表示シートＡを照明するための発光シートＢとからなり、以下その構成について説明する。
【００２８】
まず、上側のベースフィルムＡ2 上に例えばＩＴＯ電極等の透明電極（行電極）Ａ3 を形成するとともに、下側のベースフィルムＡ6 上に例えばＩＴＯ電極等の透明電極（列電極）Ａ5 を形成し、この列電極Ａ5 の上に表示媒体（例えば強誘電性高分子液晶）Ａ4 を一定の厚みで塗布する。次いで、この行電極Ａ3 と列電極Ａ5 とが相互に向き合い且つ格子状となるように貼り合わせ、さらに、上記表示媒体Ａ4 の分子を所定の配向とした後、偏光板Ａ1 ・Ａ7 で両側から挟んで貼り合わせる。これによって、表示シートＡが形成されることになる。
【００２９】
これに対し、上記発光シートＢは、その全面が一様に発光すればよいため、上側のベースフィルムＢ1 上に透明性導電体よりなる陽極Ｂ2 を形成するとともに、下側のベースフィルムＢ6 上に金属よりなる陰極Ｂ5 を形成し、この陰極Ｂ5 の上に、絶縁層Ｂ3 を用いて所定のパターンで発光媒体（例えば有機エレクトロルミネセンス）Ｂ4 を形成した後、この陽極Ｂ2 と陰極Ｂ5 とが相互に向き合うように貼り合わせて形成する。
【００３０】
最後に、発光シートＢが表示シートＡを照明するよう、上記のように形成した発光シートＢを表示シートＡの下側に貼り合わせる。
【００３１】
ここで、表示は、以下に説明するシャッター機能を利用したマトリクス制御によって行う。すなわち、表示シートＡの列電極Ａ5 ・行電極Ａ3 間に所定電圧を印加すると、光を透過しない方向に表示媒体Ａ4 の分子の配向が変化し（シャッターがＯＮとなり）、この列電極Ａ5 及び行電極Ａ3 によって特定される画素が黒く表示される。一方、上記所定電圧（以下「正電圧」という）の逆電圧を印加した場合は、光を透過する方向に表示媒体Ａ4 の分子の配向が変化し（シャッターがＯＦＦとなり）、この画素は白く表示される。
【００３２】
一方、発光シートＢの陽極Ｂ2 ・陰極Ｂ5 間に電圧を印加すると、発光媒体Ｂ4 の全面が発光して表示シートＡを照明する。すなわち、発光媒体Ｂ4 が発光すると、この光を透過する白画素（シャッターがＯＦＦとなっている画素）が点灯するようになっている。
【００３３】
なお、発光シートＢの陽極Ｂ2 ・陰極Ｂ5 を格子状の個別電極（すなわち行電極及び列電極）とし、この個別電極毎に印加する電圧を変えれば、例えばタイトル領域など、強調したい領域のみを照明することが可能となる。
【００３４】
また、発光シートＢをモノカラーで発光させる場合は全面一様に単色の光源を配置しておけばよいが、フルカラーで発光させる場合は格子状にＲＧＢ（Red Green Blue）の光源を配置しておく。フルカラーであっても全面一様の色および輝度で発光させる場合は、上記のように個別電極とするまでもなく陽極Ｂ2 ・陰極Ｂ5 であってもかまわない。
【００３５】
なお、上記表示シートＡについての制御は、制御部４２内の表示制御手段２３が行う。また、上記発光シートＢについての制御は、制御部４２内の発光制御手段（図示せず）が行う。
【００３６】
目印１４は、表示部１１の右側辺１１０に属する所定画素数列分の画素を利用して表示される。すなわち、表示部１１の右側辺１１０に属する１列分の少なくとも１画素を点灯または点滅させることで、目印１４を点灯または点滅させることが可能である。
【００３７】
また、目印１４は、発光シートＢをフルカラー発光とした場合は所定色で表示されることになる。更に、目印１４を構成する画素数を多くして、この画素単位等で点灯または点滅等の制御を行うようにすれば、文字や図形等を表示することも可能となる。
【００３８】
なお、発光シートＢの陽極Ｂ2 ・陰極Ｂ5 を格子状の個別電極とし、この個別電極毎に印加する電圧を変えれば、表示部１１の例えば右端部の一部のみを照明することが可能となるのはいうまでもない。また、表示シートＡの表示媒体Ａ4 と配向特性の異なる不揮発性の透過型液晶等を目印１４に対応する部分の表示媒体として使用すれば、目印はさらに明瞭に表示される。
【００３９】
次に、上記電子ペーパ１０（１）の表示駆動部１２の構成例を説明する。
【００４０】
図３に示すように、上記表示駆動部１２には、複数の半導体チップからなる表示用ドライバ１２（ａ）が配設されている（ａ：表示用ドライバを区別するための正の整数）。
【００４１】
表示用ドライバ１２（ａ）には、列配線Ｌ１と行配線Ｌ２とがそれぞれ異なる半導体チップに接続されている。列配線Ｌ１とは、表示シートＡの列電極Ａ5から表示用ドライバ１２（ａ）までの配線をいい、行配線Ｌ２とは、表示シートＡの行電極Ａ3 から表示用ドライバ１２（ａ）までの配線をいう。表示用ドライバ１２（ａ）は、本体２０の表示制御手段２３と例えば８ビットで接続され、表示用ドライバ１２（ａ）はこの８ビットをデコードして、当該８ビットで指定された特定の行電極Ａ３と列電極Ａ５（８ビットより遥かに多い数）に所定の電圧を印加するようになっているので、この表示用ドライバ１２（ａ）を介することによって接続端子のピン数を少なくすることができる。
【００４２】
以上説明したように、上記表示制御手段２３は、記憶手段２８に記憶された表示用データを各電子ペーパ１０（ｅ）に表示する制御を行うとともに、この表示用データが持つ目印データに基づいた目印１４を各電子ペーパ１０（ｅ）に表示する制御を行う。すなわち、表示制御手段２３は、表示用データ（目印データを含む）を例えば８ビット等の所定ビットのデータとして、１画素に対応するデータ毎に送信する。
【００４３】
上記所定ビットのデータは、各画素のアドレスと、各画素に対応する行電極Ａ３・列電極Ａ５に正電圧または逆電圧を印加するか否かを示す電圧情報等とからなる。上記表示用データは、２値のドットデータであることを前提にしているが、ＡＳＣＩＩ形式やＢｉｎａｒｙ形式など他の形式である場合は、この表示制御手段２３が２値のドットデータに変換するようにしている。
【００４４】
各電子ペーパ１０（ｅ）の表示用ドライバ１２（ａ）は、表示制御手段２３からの表示用データをデコードする。そして、このようにデコードしたデータに対応した電圧を上記アドレスに対応する列配線Ｌ１及び行配線Ｌ２に出力する。
【００４５】
上記電圧情報は、各画素に対応する行電極Ａ３・列電極Ａ５に正電圧を印加することを意味する「０」、各画素に対応する行電極Ａ３・列電極Ａ５に逆電圧を印加することを意味する「１」、各画素に対応する行電極Ａ３・列電極Ａ５に電圧を印加しないことを意味する「ＮＯＮ」からなる。
【００４６】
この「ＮＯＮ」は、アクセスする必要のない画素のアドレスについての電圧情報をいう。例えば、デジタイザ等を使用して表示シートＡ上に追加事項を書き込んだ場合（あるいは、既に書き込まれている内容を訂正する等の処理を行った場合）には、当該追加事項が書き込まれた領域に属する画素のみ（あるいは、当該訂正された領域に属する画素のみ）にアクセスすればよい。すなわち、当該追加事項が書き込まれなかった領域に属する画素（あるいは、当該訂正がされなかった領域に属する画素）にはアクセスする必要がないので、このような画素については、その電圧情報として「ＮＯＮ」を設定するようになっている。
【００４７】
なお、表示用ドライバ１２（ａ）として用いる半導体チップの数は、特に限定されるものではない。また、表示用ドライバ１２（ａ）と列電極Ａ5 及び行電極Ａ3 との配線方法は上記した配線方法に限定されるものではない。
【００４８】
さらに、図３に示すように、上記表示駆動部１２の厚みは表示部１１の厚みより大きくすることが好ましい。また、この表示駆動部１２に使用する部材には、そのヤング率が表示部１１のヤング率より大きい部材を用いるのが好ましい。
【００４９】
加えて、上記の説明では、各電子ペーパ１０（ｅ）が表示駆動部１２を備えることとしているが、本発明はこれに限定されるものではない。すなわち、本体２０内の表示制御手段２３に表示用ドライバ１２（ａ）を備えることとし、この表示制御手段２３に列配線Ｌ１と行配線Ｌ２とを接続しておくようにしてもかまわない。
【００５０】
さて、本発明によると、電子ペーパ１０（ｅ）に表示された表示用データを編集するときに、編集された表示用データとともに目印１４を表示することができる。例えば、「第１章」という文字列を何らかの方法で入力した場合、この文字列「第１章」が表示されている電子ペーパに目印１４を表示させることができる。
【００５１】
しかも、本発明によると、ユーザが心覚えに利用する「付箋に相当する目印」を電子ペーパに付すこともできる。この場合、目印１４を付す領域としては、上記右側辺１１０の全体を利用してもよいし、あるいは、上記のように編集された表示用データとともに目印を表示することを考慮して、上記右側辺１１０の特定の部分（例えば右上のコーナ部）のみを利用してもよい。
【００５２】
以下、上記目印設定手段３５による目印設定処理の一例を説明する。なお、ここでは、３枚の電子ペーパ１０（１）〜１０（３）が本体２０に装着されており、また、この３枚の電子ペーパに表示しきれないページ数の表示用データが記憶手段２８に記憶されている場合を想定して説明する。
【００５３】
まず、ユーザは、表示用データの例えば２０１〜２０３ページを電子ペーパ１０（１）〜１０（３）に表示するために表示操作部５１を操作する。この表示操作部５１は、以下に説明するページ表示部５１ａと送りキー５１ｂと戻しキー５１ｃとからなる。
【００５４】
すなわち、上記ページ表示部５１ａは、電子ペーパに表示する表示用データのページ番号（複数の電子ペーパを備えている場合は、例えば、第１枚目の電子ペーパに表示される表示用データのページ番号）を表示する。上記送りキー５１ｂは、電子ペーパに表示する表示用データのページを送るためのキーである。上記戻しキー５１ｃは、電子ペーパに表示する表示用データのページを戻すためのキーである。
【００５５】
このようにユーザが表示操作部５１を操作することによって表示用データの例えば２０１〜２０３ページを電子ペーパ１０（１）〜１０（３）に表示すると、上記表示制御手段２３は、「２０１」というページ番号をページ表示部５２に表示するための制御を行う。このページ表示部５２は、上記表示操作部５１が備えた表示部５１ａとは独立した、目印付与のための表示部である。このページ表示部５２には、通常、見開きの第１枚目の電子ペーパに表示されている表示用データのページ番号が表示されるようになっている。
【００５６】
ここで、心覚えにしたい箇所を２０２ページに見つけて目印を表示させようとする場合（図６、ステップ：ｓｔ１→ｓｔ２）、ユーザは、目印設定手段３５の送りキー５３ａを一回押下する（図６、ステップ：ｓｔ２→ｓｔ３）。これによって、「２０２」というページ番号がページ表示部５２に表示されることになる（図６、ステップ：ｓｔ３→ｓｔ４）。
【００５７】
次いで、ユーザは、決定キー５３ｂを押下する（図６、ステップ：ｓｔ４→ｓｔ５）。これによって、目印設定手段３５は、２０２ページであることを示す情報（以下、単に「２０２」と記載する場合がある）を表示制御手段２３に渡す（図６、ステップ：ｓｔ５→ｓｔ６）。もちろん、目印設定手段３５は、上記「２０２」とともに、この「２０２」に対応するページ（すなわち２０２ページ）に目印を表示する旨の指示と所定の目印データとを表示制御手段２３に渡す。
【００５８】
上記表示制御手段２３は、まず、受け取った目印データと「２０２」とを対応付けて、この表示制御手段２３が備えた記憶手段に記憶しておく（図６、ステップ：ｓｔ６）。このように表示制御手段２３が備えた記憶手段に表示用データ（ここでは２０２ページ）と目印データとを対応付けて記憶することを以下では「設定」という。
【００５９】
さて、表示制御手段２３は、上記したように、各電子ペーパ１０（ｅ）と、これら電子ペーパ１０（ｅ）に表示されたページ番号等とを対応付けて管理している。したがって、目印設定手段３５から目印を表示する旨の指示を受けると、上記のように記憶した「２０２」に基づいて、自身が管理している表示用データ上のページと、このページに対応する電子ペーパ番号とを検索する。この検索の結果、２０２ページが管理されていることが判明すると、「２０２」に対応する目印データに基づいた目印を、２０２ページが表示されている電子ペーパに表示するための制御を行う。
【００６０】
また、ユーザは、現在電子ペーパに表示されていないページ（例えば１９９ページ）に目印を表示させたい場合、戻りキー５３ｃを操作することによってページ表示部５２に「１９９」を表示した状態で決定キー５３ｂを押下する。これによって、目印設定手段３５は、所定の目印データと「１９９」とを表示制御手段２３に渡すようになっている。
【００６１】
これによって、表示制御手段２３は、上記と同様、受け取った目印データと「１９９」とを対応付けて、この表示制御手段２３が備えた記憶手段に記憶しておく。そして、この場合も、自身が管理している表示用データ上のページと、このページに対応する電子ペーパ番号とを上記「１９９」に基づいて検索する。この検索の結果、現在表示されているページが２０１〜２０３であること（すなわち、１９９ページを表示していないこと）が判明することになるので、この場合は、「１９９」に対応する目印データに基づいた目印を表示するための制御を行わない。もっとも、ユーザが表示操作部５１を操作することによって何れかの電子ペーパに１９９ページを表示したときは、「１９９」に対応する目印データに基づいた目印が表示されることになる。
【００６２】
所定のページに設定した目印を取り消したいときは、取り消し対象のページ番号をページ表示部５２に表示した状態で、取り消し指示（例えば、決定キー５３ｂの長押し）をすればよい。これによって、目印設定手段３５は、目印設定の取り消し指示と取り消し対象のページ番号とを表示制御手段２３に渡すようになっている。これによって、表示制御手段２３は、当該ページに表示した目印設定を取り消すべく記憶手段の内容を更新する。
【００６３】
上記では、目印設定用の操作部と表示用データを表示するための操作部とが各々独立した構成を例示したが、本発明はこれに限定されるものではない。すなわち、上記表示操作部５１の送りキーと戻しキーとページ表示部とを目印設定用の操作部として使用することも可能である。
【００６４】
この場合、目印設定の対象になるページは、例えば第１枚目の電子ペーパとしておく。そして、この目印設定の対象になるページが、第１枚目の電子ペーパに表示された状態で決定キー５３ｂが押下されると、この電子ペーパに目印が設定される。一方、目印設定の取り消し対象になるページが、第１枚目の電子ペーパに表示された状態で決定キー５３ｂが長押しされると、この電子ペーパに設定された目印が取り消される。このような構成を採用すると、上記したように、現在表示されているページと関連なく目印の設定あるいは設定取り消しを行うことはできなくなるが、キー数を少なくすることができるという効果がある。
【００６５】
また、上記の説明では、１枚の電子ペーパに目印を表示することができる部分は１ヵ所であることを前提としているが、本発明はこれに限定されるものではない。すなわち、１枚の電子ペーパに目印を表示することができる部分を複数備えるようにしてもよい。このような構成を採用した場合は、どの部分に目印を表示するかを指定するための手段が必要となるが、この指定手段としては、例えば上記決定キー５３ｂを用いることができる。すなわち、決定キー５３ｂが普通に押下された場合は、上記複数の部分の内の一箇所が例えば上方向から順にアクティブになるようにしておき、目印を表示したい部分がアクティブになった状態で決定キー５３ｂを長押しすることによって、当該位置に目印を表示することが指定されたこととする。
【００６６】
以上のように、本実施の形態によると、所定の文字列等が表示された電子ペーパへ目印を表示すること、さらには、この目印表示を取り消すことを簡便な操作で実現することができる。この目印は、付箋や栞として使用できるのはもちろん、ページ単位等で所定のグループに分けて使用することもできる。
【００６７】
なお、各電子ペーパ１０（ｅ）へ目印を表示するための制御を行うのは、上記表示制御手段２３に限る必要はなく、この制御を行う所定の手段を別に備えるようにしてもよい。ただし、この場合は、表示制御手段２３で管理されている電子ペーパ番号等に基づいて上記所定の手段が目印を表示するための制御を行うことになる。
【００６８】
また、上記の説明では、記憶手段２８・表示制御手段２３・目印設定手段３５を本体２０に備えた構成を例示したが、本発明はこれに限定されるものではない。すなわち、上記記憶手段２８・表示制御手段２３・目印設定手段３５を電子ペーパが備える構成を採用すれば、電子ペーパ単体で上記と同様の目印設定を実現することも可能である。
【００６９】
［実施の形態２］
ところで、上記本体２０と上記電子ペーパ１０とは、一対の接続端子（例えば、雌雄一対の接続端子）をそれぞれに備え、物理的・電気的に接続可能となっている。もちろん、物理的に接続されていなくとも電気的に接続されていれば、表示用データに対応する文字等を上記表示部１１に表示することが可能である。電気的に接続する方法としては、上記本体２０と上記電子ペーパ１０の両方に無線通信機能（例えばＩＲＤＡやＢｌｕｅｔｏｏｔｈ等に沿った通信機能）を備える方法がある。
【００７０】
また、本発明にかかる電子ペーパ１０は、本体２０から取り外すことが可能である。そこで、電子ペーパ１０が装着されている接続端子２５にのみ表示用データを転送するために、以下に説明する着脱検知手段６０を上記本体２０に設けた構成を採用するのが好ましい。
【００７１】
すなわち、図７（ａ）に示すように、本体２０側の接続端子２５は、当該本体２０の所定位置に固定された状態で配列されている。また、記憶手段２８には、本体２０側の各接続端子２５を識別するための番号（以下「接続端子識別番号」という）が、その配列順序とともに記憶されている。
【００７２】
上記接続端子識別番号の決め方は特に限定されるものではないが、電子ペーパファイルの表表紙２６１から離れるに従って大きな番号とするのが好ましい。すなわち、ここでは図７（ｂ）に示すように、表表紙２６１に最も近い位置にある接続端子２５の接続端子識別番号を“１”、表表紙２６１に２番目に近い位置にある接続端子２５の接続端子識別番号を“２”、表表紙２６１に３番目に近い位置にある接続端子２５の接続端子識別番号を“３”、表表紙２６１に４番目に近い位置にある接続端子２５の接続端子識別番号を“４”としている。
【００７３】
そこで、上記着脱検知手段６０は、電子ペーパ１０が装着されている接続端子２５を検知（後述する）すると、このように検知した接続端子２５の接続端子識別番号を記憶手段２８から取得する（図８、Ｓ１１１）。例えば、接続端子識別番号が“１”の接続端子２５と接続端子識別番号が“３”の接続端子２５とに電子ペーパ１０が装着されている場合、上記着脱検知手段６０は、この接続端子識別番号“１”及び“３” を記憶手段２８から取得することになる。
【００７４】
そして、上記着脱検知手段６０は、このように取得した接続端子識別番号“１”及び“３”の接続端子２５について、その接続順序を識別するための番号（以下「接続順序識別番号」という）を付与する（図８、Ｓ１１２）。すなわち、ここでは、表表紙２６１に最も近い位置にある接続端子２５（つまり、接続端子識別番号“１”の接続端子２５）と、表表紙２６１に３番目に近い位置にある接続端子２５（つまり、接続端子識別番号“３”の接続端子２５）とに電子ペーパが装着されている。したがって、上記着脱検知手段６０は、装着されている電子ペーパ１０が表表紙２６１に最も近いことを意味する接続順序識別番号“Ｃ１”を接続端子識別番号“１”の接続端子２５に付与する（後述する）とともに、装着されている電子ペーパ１０が表表紙２６１に２番目に近いことを意味する接続順序識別番号“Ｃ２”を接続端子識別番号“３”の接続端子２５に付与することになる。
【００７５】
さらに、上記着脱検知手段６０は、上記のように接続順序識別番号“Ｃ１”及び“Ｃ２”を付与した旨を記憶手段２８に記憶しておくとともに（図８、Ｓ１１３）、これら接続順序識別番号“Ｃ１”及び“Ｃ２”を上記表示制御手段２３に通知しておく。これによって、この通知を受けた表示制御手段２３は、これら接続端子識別番号“１”及び“３”の接続端子２５に表示用データを転送する。このようにすれば、電子ペーパが接続されていない接続端子２５へ表示用データを送信すること（表示漏れ）なく、表表紙に近い電子ペーパから順に表示用データを表示することができる（図８、Ｓ１１４）。
【００７６】
なお、上記の説明では「接続順序識別番号を接続端子２５に付与する」と表現しているが、このように接続順序識別番号を付与する具体的方法は特に限定されるものではない。例えば、記憶手段２８に記憶されている接続端子識別番号“１”〜“４”のうち、電子ペーパ１０が装着されている接続端子２５の接続端子識別番号“１”及び“３”についてのみ、その対応する記憶領域にフラグを立てるようにする。このようにすれば、上記接続順序識別番号“Ｃ１”を接続端子識別番号“１”の接続端子２５に付与するとともに、上記接続順序識別番号“Ｃ２”を接続端子識別番号“３”の接続端子２５に付与したこととみなすことができる。
【００７７】
以下、電子ペーパ１０が装着されている接続端子２５を上記着脱検知手段６０が検知する構成について説明する。
【００７８】
まず、図９に示すように、上記本体２０に着脱検知手段６０を設け、この着脱検知手段６０から２つの“１”信号を各接続端子２５に出力する。このとき、電子ペーパ１０が接続端子２５に装着されていると、当該２つの“１”信号は、電子ペーパ側にある接続端子１３を介して、電子ペーパの表示駆動部１２にあるアンドゲート６１に入力される。そして、このアンドゲート６１から“１”信号を上記接続端子１３と上記接続端子２５とを介して上記着脱検知手段６０に返すようにする。このようにすれば、着脱検知手段６０は、電気信号の出力先の接続端子２５に電子ペーパ１０が接続されていることを検知することができる。
【００７９】
また、図１０に示すように、本体２０の背板３１の内面に押しボタン６２を設けた構成としても、上記と同様の効果を得ることができる。すなわち、所定の接続端子２５に電子ペーパ１０が装着されると同時に、当該電子ペーパ１０によって押しボタン６２が押下されるようにしておく。このようにすれば、着脱検知手段６０は、この押しボタン６２が押下されたことによって、所定の接続端子２５に電子ペーパ１０が装着されたことを検知することができる。
【００８０】
あるいは、図１１に示すように、接続端子２５の突出方向に光を発するフォトカプラ６３を本体２０に設け、この光の反射光量をもとに、着脱検知手段６０が電子ペーパ１０の脱着を検知する構成としてもよい。すなわち、接続端子２５に電子ペーパ１０が装着されていると、フォトカプラ６３から発せられた光は、電子ペーパ１０によって反射される。従って、上記着脱検知手段６０は、フォトカプラ６３が一定の反射光量を受け取ったことを認識すると、当該接続端子２５に電子ペーパ１０が装着されていることを検知するようになっている。
【００８１】
以上では、本体側の接続端子２５が上記背板３１に固定されている構造について述べたが、この接続端子２５は、以下に説明するように回転できると便利である。
【００８２】
すなわち、図１２に示すように、所定長さの円筒形の可動軸片７０の上下端部に、他の可動軸片７０の上下端部と相互に回転自在に接続可能な差込部７０ａ・７０ｂを設ける。この可動軸片７０の内周面には、図１３（ｂ）に示すように、周方向に次第に幅が広くなる反射部７３が描かれており、また、この可動軸片７０の外周の軸方向には、本体側の接続端子２５が配設されている。そして、このように構成された可動軸片７０を相互につなぎ合わせると接続体７１が形成されることになる。
【００８３】
一方、図１４に示すように、フォトカプラ６３は、上記反射部７３と対向するように、上記可動軸片７０内の素子固定軸７５に固定されている。また、この素子固定軸７５は、上記接続体７１に挿入された状態で軸端片７２に固定されている。さらに、この軸端片７２は、上記接続体７１の上下端と回転自在に固定されており、また、上記背板３１の内面に固定されている。なお、軸端片７２を背板３１の内面に固定する手段および素子固定軸７５の両端を軸端片７２の両端に固定する手段は、本発明の本質ではないので、ここでは詳しい説明を省略する。
【００８４】
さて、上記のように接続体７１が背板３１に取り付けられた状態では、各フォトカプラ６３は同じ方向に光を出射する。また、この状態で、各可動軸片７０に取り付けられた接続端子２５の向きを揃えると、各接続端子の内面に描かれた反射部７３も、その内周に沿った軸方向に同じ幅を示すことになる。これによって、上記各可動軸片７０の回転角（すなわち、各電子ペーパ１０の回転角）に対応する信号をフォトカプラ６３が出力することになるのはいうまでもない。
【００８５】
以上では、各可動軸片７０が相互に直接接続される構成について説明したが、図１６に示すように、各可動軸片７０の間に中間固定片７６を介在させると、さらに安定して接続体７１を背板３１に取り付けることができる。
【００８６】
すなわち、中間固定片７６に対して各可動軸片７０の差込部７０ａ・７０ｂを回転自在に差し込み、これら可動軸片７０からなる接続体７１を得る。そして、この接続体７１を上記と同様に軸端片７２で背板３１に固定するとともに、上記中間固定片７６でも背板３１に固定しておく。なお、この場合の素子固定軸７５は上記と同様の構成（図１４参照）でもよいが、図１７に示すように、各中間固定片７６あるいは軸端片７２から素子固定軸７５を各可動軸片７０の内部に突出させるように構成してもよい。
【００８７】
ここで、図１８に示すように、上記フォトカプラ６３に代えてバリアブル抵抗７７を使用するようにしても、各電子ペーパの回転角を得ることができる。すなわち、可動軸片７０の回転を妨げないようにドーナツ上のバリアブル抵抗７７を素子固定軸７５に固定し、このドーナツ上のバリアブル抵抗７７に接する可動端子７１を各可動軸片７０の内面に備えるようにする。この構成で特定の接続端子を回転させると、その回転角に応じた電圧をバリアブル抵抗７７が示すことになり、各電子ペーパの回転角が得られることになる。
【００８８】
なお、上記の説明では、反射部７３を可動軸片７０の内周面に描くこととしているが、本発明はこれに限定されるものではない。すなわち、可動軸片７０が透明な材質で作られている場合は、反射部７３を可動軸片７０の外周面に描いても同様の効果が得られる。
【００８９】
さて、上記のようにフォトカプラ６３またはバリアブル抵抗７７を使用することで本体側の各接続端子２５の回転角が得られると、この回転角は、本体２０にある位置検知手段６４によって着脱検知手段６０に通知されるようになっている。これによって、着脱検知手段６０は、電子ペーパ１０が装着されている接続端子２５を検知した後、上記通知内容に基づいて、当該検知された接続端子２５に接続順序識別番号を付与するようになっており、以下その動作を詳しく説明する。
【００９０】
なお、以下では、図１４（ａ）（ｂ）に示すように、上側の軸端片７２に最も近い位置にある接続端子２５の接続端子識別番号を“１”、上側の軸端片７２に２番目に近い位置にある接続端子２５の接続端子識別番号を“２”、上側の軸端片７２に３番目に近い位置にある接続端子２５の接続端子識別番号を“３”、上側の軸端片７２に４番目に近い位置にある接続端子２５の接続端子識別番号を“４”として説明する。また、これら接続端子識別番号“１”〜“４”は、その配列順序とともに上記記憶手段２８に記憶されていることを前提とする。
【００９１】
まず、上記したように、着脱検知手段６０は、上記位置検知手段６４から回転角を通知された後、電子ペーパ１０が装着されている接続端子２５を検知する。もちろん、位置検知手段６４が回転角を得る動作と、電子ペーパ１０が装着されている接続端子２５を着脱検知手段６０が検知する動作との開始順序は限定されるものではない。すなわち、これら動作は、並行して行われてもかまわない（図１５、Ｓ１８１及びＳ１８２）。
【００９２】
次いで、着脱検知手段６０は、上記のように検知した接続端子２５の接続端子識別番号を記憶手段２８から取得する。例えば、接続端子識別番号が“１”の接続端子２５と接続端子識別番号が“３”の接続端子２５とに電子ペーパ１０が装着されている場合、上記着脱検知手段６０は、この接続端子識別番号“１”及び“３” を記憶手段２８から取得することになる。
【００９３】
そして、上記着脱検知手段６０は、このように取得した接続端子識別番号“１”及び“３”の接続端子２５について、その接続順序識別番号を付与する（図１５、Ｓ１８３）。ただし、ここでは可動軸片７０が回転する構成を想定しているので、当該接続順序識別番号の付与処理は、以下に説明するように、上記位置検知手段６４から通知された回転角に基づいて行う。
【００９４】
例えば、接続端子識別番号が“２”の接続端子２５、接続端子識別番号が“１”の接続端子２５、接続端子識別番号が“４”の接続端子２５、接続端子識別番号が“３”の接続端子２５の順に、その回転角が小さい旨の通知を着脱検知手段６０が位置検知手段６４から受けている場合について説明する。すなわち、この場合の着脱検知手段６０は、装着されている電子ペーパ１０が表表紙２６１に最も近いことを意味する接続順序識別番号“Ｃ１”を接続端子識別番号“１”の接続端子２５に付与するとともに、装着されている電子ペーパ１０が表表紙２６１に２番目に近いことを意味する接続順序識別番号“Ｃ２”を接続端子識別番号“３”の接続端子２５に付与することになる。
【００９５】
さらに、上記着脱検知手段６０は、上記のように接続端子識別番号“Ｃ１”及び“Ｃ２”を付与した旨を記憶手段２８に記憶しておくとともに（図１５、Ｓ１８４）、これら接続端子識別番号“Ｃ１”及び“Ｃ２”を上記表示制御手段２３に通知しておく。これによって、この通知を受けた表示制御手段２３は、これら接続端子識別番号“１”及び“３”の接続端子２５に表示用データを転送する。このようにすれば、電子ペーパが接続されていない接続端子２５へ表示用データを送信すること（表示漏れ）なく、表表紙に近い電子ペーパから順に表示用データを表示することができる（図１５、Ｓ１８５）。
【００９６】
ところで、以上で述べた電子ペーパ１０側の接続端子１３は、電子ペーパ１０の縦方向の所定の位置に固定されているので、電子ペーパ１０は、当該接続端子１３と対応した位置にある本体側の接続端子２５にのみ接続することが可能である。したがって、図１９（ａ）（ｂ）に示すように、複数の接続端子２５が本体２０の縦方向に対してそれぞれ異なる位置に設けられている場合は、この本体側の各接続端子２５に接続可能な位置に接続端子１３を持つ電子ペーパ１０を用意しなければならないという不具合があった。そこで、このような不具合を解決するために、以下の構成を採用するようにしてもよい。
【００９７】
すなわち、図２０に示すように、電子ペーパ１０側の端部に、表示用データを転送するために必要な数のリード８０ａ〜ｄを縦方向に平行に配設しておく。
【００９８】
一方、図２１に示すように、上記可動軸片７０から、電子ペーパ１０をその厚み方向に弾性で挟み込む２枚の挟み板８１を当該可動軸片７０の径方向に突設しておく。そして、この挟み板８１の内面に、電子ペーパ１０に設けた平行リード８０ａ〜ｄのそれぞれと先端が当接する導出リ−ド８２を設け、この導出リ−ド８２を本体内のリ−ドに導くように構成する。
【００９９】
ここで、各接続端子２５を構成する導出リ−ド８２の数は、電子ペーパ側の平行リード８０ａ〜ｄの数と同じであり、また、この導出リ−ド８２は、その先端のみで上記平行リード８０ａ〜ｄと電気的に接続可能な接点８３ａ〜ｄを持っている。そして、本体側の接続端子２５にある挟み板８１で電子ペーパ側の接続端子１３を両側から挟み込むことで、各平行リード８０ａ〜ｄと各接点８３ａ〜ｄが接するようになっている。これによって、上記表示制御手段２３によって転送された表示用データが、接点８３ａ〜ｄを介して所定の接続端子１３に流れるようになるのはいうまでもない。
【０１００】
また、上記のように着脱検知手段６０が通知した接続順序識別番号に基づいて表示制御手段２３が表示処理を行うと、電子ペーパ１０が装着されている接続端子２５の接続順序識別番号が当該電子ペーパ１０に表示されるようにしてもよい。このように接続順序識別番号を電子ペーパ１０に表示すれば、当該電子ペーパ１０を本体２０から取り外した後でも、ユーザは、この接続順序識別番号を見ることで、電子ペーパ１０に表示されている表示用データの順番を容易に判別することができる。
【０１０１】
ところで、ある接続端子２５に装着されていた電子ペーパ１０を取り外し、異なる接続端子２５に当該電子ペーパ１０を装着すると、表示用データがページ順に表示されない場合がある。このような不具合を解決するためには、本体２０に備えられた記憶手段２８に表示用データを記憶しておくとともに、上記着脱検知手段６０が電子ペーパ１０の着脱を常に監視するように設定しておけばよい。
【０１０２】
すなわち、着脱検知手段６０は、電子ペーパ１０が接続端子２５に装着されたこと又は電子ペーパ１０が接続端子２５から取り外されたことを検知すると、上記のように、電子ペーパ１０が装着されている接続端子２５の接続順序識別番号を表示制御手段２３に通知する。これによって、表示制御手段２３は、記憶手段２８から表示用データを読み出し、上記のように通知された接続順序識別番号に基づいて表示処理を行う。
【０１０３】
なお、ここでは、本体２０に備えられた記憶手段２８に表示用データを記憶しておくこととしているが、電子ペーパ１０に備えられた記憶手段に表示用データを記憶しておくようにしても同様の効果が得られる。すなわち、表示用データが記憶されている記憶手段が電子ペーパ１０にある場合、表示制御手段２３は、この電子ペーパ１０上の記憶手段から表示用データを取得するようになっている。
【０１０４】
また、本体２０に上記位置検知手段６４が備えられている場合、この位置検知手段６４は、着脱検知手段６０と連動することによって、上記のように接続順序識別番号を接続端子２５に付与するとともに、この接続順序識別番号を表示制御手段２３に通知することになるのはいうまでもない。
【０１０５】
さらに、本体２０に図示しない所定のボタンを設け、このボタンをユーザが押下したときに、上記着脱検知手段６０及び上記位置検知手段６４が作動するようにしてもよい。あるいは、電子ペーパファイルの電源投入時や電子ペーパの表示を一旦クリアにした時に、上記着脱検知手段６０及び上記位置検知手段６４が作動するようにしてもよい。
【０１０６】
以上のように、本実施の形態によると、電子ペーパ１０を本体２０から取り外して持ち運ぶことが可能となる。もちろん、上記実施の形態１と同様の手段を本体２０と電子ペーパ１０とに備えておけば、上記実施の形態１と同様の効果を得ることができる。
【０１０７】
［実施の形態３］
本実施の形態を図２２〜図２５に基づいて説明する。
【０１０８】
図２２及び図２３は本発明を適用した電子ペーパファイルの構成図を、図２４はその制御系のブロック図を示す。なお、電子ペーパファイルの本体２０と電子ペーパ１０（ｅ）の構成は上記実施の形態２で説明した構成と同様である。
【０１０９】
ここでは、本体２０が備えた回転型構造の接続端子２５（１）（２）に２枚の電子ペーパ１０（１）（２）が装着された構成を例示する。また、目印データは目印設定手段３５内の記憶手段に設定されているものとする。
【０１１０】
まず、本実施の形態の目印設定手段３５は、各電子ペーパ１０（１）（２）が見開かれた状態を検出する検出手段（例えばセンサ）５４を備えている。
【０１１１】
上記検出手段５４は、図２２に示すように、各電子ペーパ１０（１）（２）が相互に隣接することを検出するセンサを、各電子ペーパ１０（１）（２）が備える表示駆動部１２の一方の面と他方の面とに備える。以下、電子ペーパ１０（１）が備える表示駆動部１２の一方の面に備えたセンサをセンサ５８１ａといい、また、他方の面に備えたセンサをセンサ５８１ｂという。
【０１１２】
上記センサ５８１ａと上記センサ５８１ｂの両方がオンになっている場合は、電子ペーパ１０（１）が表表紙２６１と電子ペーパ１０（２）とによって挟まれていることを示す。上記センサ５８１ｂのみがオンになっている場合は、電子ペーパ１０（１）が見開かれていることを示す。上記センサ５８１ａのみがオンになっている場合は、電子ペーパ１０（１）の一方の面が表表紙２６１側に閉じていることを示す。
【０１１３】
このようにセンサ５８１ａと５８１ｂとを備えることによって、検出手段５４は、電子ペーパ１０（１）の見開かれた状態を検出するようになっている。もちろん、電子ペーパ１０（２）の表示駆動部にも、上記電子ペーパ１０（１）と同じ様にセンサを備えておく。
【０１１４】
また、検出手段５４は、本体２０の所定位置と、上記回転型構造の接続端子２５（１）（２）に装着された電子ペーパ１０（１）（２）間の角度θを検出することもできる。ここでいう本体２０の所定位置とは、背板３１で接続端子２５（１）（２）を備えた背板面３１ａをいう。
【０１１５】
上記角度θを検出するために、検出手段５４は、図２３に示すように、接続端子２５（１）（２）に光源５６１・５６２を備えるとともに、この光源５６１・５６２からの光を検出するための受光部５７１・５７２を背板３１に備えている。
【０１１６】
すなわち、上記光源５６１は、接続端子２５（１）に装着された電子ペーパ１０（１）が背板面３１ａに対して垂直となる場合に当該背板面３１ａと対向するように配置しておく。また、上記受光部５７１は、接続端子２５（１）に装着された電子ペーパ１０（１）が背板面３１ａに対して９０度以上見開かれた場合に当該接続端子２５（１）の光源５６１からの光を検出可能に配置しておく。
【０１１７】
このように光源５６１と受光部５７１とを備えたことによって、検出手段５４は、電子ペーパ１０（１）の見開かれた角度θが９０度以上であることを検知できるようになっている。もちろん、光源５６２と受光部５７２の配置も、上記光源５６１と受光部５７１の配置と同じ様にしておく。
【０１１８】
なお、上記各検出データは、接続端子２５（１）（２）と対応しているので、この接続端子２５（１）（２）を示す各接続端子番号とも対応している。以下では、この各接続端子番号を、接続端子２５（１）（２）に装着された各電子ペーパ１０（１）（２）を示す電子ペーパ番号とする。
【０１１９】
また、上記検出手段５４は、電子ペーパ１０（１）（２）が見開かれた状態であることや角度θが所定の値以上であることを表示する検出表示部を本体２０の表表紙２６１に備えるようにしてもよい。この表示方法としては、例えばライト・エミッティング・ダイオード等を点灯する方法を採用することができる。このようにすれば、ユーザは、電子ペーパ１０（１）が見開かれた状態であるか否か、角度θが所定の値以上であるか否かを視認できる。
【０１２０】
そして、目印設定手段３５は、上記検出手段５４からの指示に基づいて、見開かれた状態であるとともに角度θが所定の値以上である状態となっている電子ペーパの電子ペーパ番号と、この電子ペーパ番号に対応した目印を表示する指示とを表示制御手段２３に渡す。また、目印設定手段３５は、上記電子ペーパ番号と目印の表示指示とともに、この目印設定手段３５内の記憶手段に設定されている目印データも表示制御手段２３に渡す。
【０１２１】
例えば、電子ペーパ１０（１）のセンサ５８１ａのみがオンとなっている状態であるとともに接続端子２５（１）の光源５６１からの光を受光部５７１が検知した場合に、この電子ペーパ１０（１）が見開かれた状態であることを「電子ペーパ番号１０１」という情報で表すこととした場合、表示制御手段２３は、受け取った目印データと電子ペーパ番号１０１とを対応させて、この表示制御手段２３内の記憶手段に記憶しておく。このように記憶した内容は、見開かれた状態である電子ペーパの識別番号が上記検知手段５４から新たに送られるまで保持しておくようになっている。
【０１２２】
表示制御手段２３は、上記のように記憶した電子ペーパ番号１０１に基づいて記憶手段の内容を参照し、この電子ペーパ番号１０１に対応する目印データに基づいた目印を電子ペーパ１０（１）に表示する。これによって、見開かれた状態の電子ペーパに目印が表示されることとなる。
【０１２３】
次に、目印設定手段３５による目印の設定処理を図２５に示すフローチャートに基づいて説明する。なお、以下では、２枚の電子ペーパ１０（１）（２）が装着されていることを想定し、電子ペーパ１０（１）には表示用データの２０１ページが、電子ペーパ１０（２）には表示用データの２０２ページが表示されているものとして説明する。
【０１２４】
まず、ユーザは、目印を電子ペーパ１０（１）に表示させたい場合（図２５、ステップ：ｓｔ１０→ｓｔ１１）、電子ペーパ１０（１）を見開く（図２５、ステップ：ｓｔ１１→ｓｔ１２）。これによって、電子ペーパ１０（１）が見開かれた状態であることを検出手段５４が検出すると（図２５、ステップ：ｓｔ１２→ｓｔ１３）、目印設定手段３５は、その電子ペーパ番号１０１を表示制御手段２３に渡す（図２５、ステップ：ｓｔ１３）。もちろん、目印設定手段３５は、上記電子ペーパ番号１０１とともに、この電子ペーパ番号１０１に対応する電子ペーパ１０（１）に目印を表示する旨の指示と所定の目印データとを表示制御手段２３に渡すようになっている。
【０１２５】
上記表示制御手段２３は、受け取った電子ペーパ番号１０１と目印データとを対応させて、この表示制御手段２３内の記憶手段に記憶しておく（図２５、ステップ：ｓｔ１４）。そして、上記記憶手段の内容を参照し、電子ペーパ番号１０１と電子ペーパ１０（１）とが対応していることが判明した場合、この電子ペーパ番号１０１に対応する目印データに基づいた目印１４を電子ペーパ１０（１）に表示する制御を行う。
【０１２６】
ユーザが表示操作部５１を操作することによって上記見開かれた状態の電子ペーパ１０（１）上の表示内容を２０３ページの内容に変更した場合も、この電子ペーパ１０（１）に目印を表示するための制御を表示制御手段２３が行うことになるのはいうまでもない。
【０１２７】
次に、ユーザが電子ペーパ１０（２）を見開いた場合は、上記と同様、所定の目印データと電子ペーパ番号１０２とが表示制御手段２３に渡される。これによって、表示制御手段２３は、上記のように記憶しておいた電子ペーパ番号１０１を消去するとともに、受け取った目印データと電子ペーパ番号１０２とを対応させて記憶しておく。そして、電子ペーパ番号１０２に対応する目印データに基づいた目印１４を電子ペーパ１０（２）に表示する制御を行う。
【０１２８】
なお、上記では、見開かれた状態の電子ペーパに自動的に目印が表示されることとしているが、この目印１４の表示を取り消すことができるようにしてもよい。この場合は、各電子ペーパ１０（１）（２）の所定位置に表示取り消しキー等を備えておく。そして、見開かれた状態の電子ペーパ１０（１）が備えた表示取り消しキーが押下された場合、表示制御手段２３が電子ペーパ番号１０１の登録を取り消すようになっている。
【０１２９】
また、上記では、本体２０側の接続端子２５（１）（２）が回転型構造である場合を例示して説明したが、この接続端子２５（１）（２）が図１に示す固定型構造であっても、上記した検出処理を行うことができる以上、同様の効果が得られることになるのはいうまでもない。
【０１３０】
以上のように、本実施の形態によると、見開かれた状態の電子ペ−パへ目印を表示することや、この目印表示を取り消すことを簡便な操作で実現することができる。
【０１３１】
［実施の形態４］
図２６は、本実施の形態の電子ペーパファイルの制御系のブロック図である。この電子ペーパファイルは、上記第１から第３のいずれかの実施の形態と同様の構成に加えて、本体２０の電源が切られたときに表示制御手段２３と発光制御手段２４とをバックアップする補助電源５５を備えている。この補助電源５５とは、電子ペーパファイルの本体２０に内装あるいは外装された電源（電池等）をいう。
【０１３２】
以下、本体２０の電源が手動あるいはオート・パワー・オフ機能等の方法によって切られた後、または再度電源が入れられたときに、目印を所定の電子ペーパに表示する場合の動作について説明する。もちろん、表示制御手段２３に記憶されている電子ペーパ番号１０１と目印データとは、本体２０の電源が切られた後も保持されるようになっているし、目印設定手段３５は検出手段５４を備えている。
【０１３３】
まず、ユーザが、電子ペーパ１０（１）を見開いた状態にして、この電子ペーパ１０（１）に表示されている例えば特定の文献・本・百科事典などの２０１ページを参照していた場合、表示制御手段２３は、上記実施の形態３と同様、見開かれた状態を示す電子ペーパ番号１０１と所定の目印データとを対応させて記憶しておく。
【０１３４】
そして、本体２０の電源が切られた後、補助電源５５によって起動した表示制御手段２３は、上記のように記憶しておいた電子ペーパ番号１０１に対応する電子ペーパ１０（１）に上記目印データに基づいた目印１４を表示するようになっている。また、このとき、補助電源５５によって起動した発光制御手段２４は、上記電子ペーパ１０（１）に表示されている目印１４の範囲を発光させるようになっている。
【０１３５】
なお、ここでは、本体２０の電源が切られたときに電子ペーパ１０（１）に目印１４を表示することとしているが、この目印１４を表示するのは、再度電源が入れられたときであってもかまわない。いつ目印１４を表示するかは、本体２０等に備えられたキーで選択できるようになっている。
【０１３６】
以上のように、本実施の形態によると、本体２０の電源が切られたときあるいは再度電源が入れられたときに所定の目印を電子ペーパに表示することができる。これによって、読みかけの本を一旦閉じても、本体２０の電源が切られたときあるいは再度電源が入れられたとき、その閉じた箇所に目印が表示されることになるので、ユーザは、前回までに読み終えた箇所をすぐに開くことができる。
【０１３７】
［実施の形態５］
以下、本実施の形態を上記実施の形態１から４と異なる点のみ説明する。
【０１３８】
本実施の形態では、図２７に示すように、目次や索引等を表示する目次索引表示制御手段３０を制御部４２内に備えている。また、目次や索引等が表示される表紙表示部２７１を表紙あるいは背表紙３２の所定位置に備えている。
【０１３９】
上記表紙とは、表表紙２６１と裏表紙２６２のいずれかをいう。以下、表表紙２６１側の表紙表示部を「表紙表示部２７１」といい、裏表紙２６２側の表紙表示部を「表紙表示部２７２」という。
【０１４０】
次に、図２９に基づいて本電子ペーパファイルの動作を説明する。
【０１４１】
まず、信号授受手段２２は、他の電子ペーパファイルやパーソナル・コンピュータ等から、電子ペーパ１０（ｅ）の表示部１１に表示するデータを受け取り、このデータを表示用データとして記憶手段２８に記憶する。以下、このように記憶された表示用データは、電子図書のデータであり、この電子図書の本文に係るデータ（以下「本文データ」という）、目次に係るデータ（以下「目次データ」という）、索引に係るデータ（以下「索引データ」という）等からなるものとして説明する。
【０１４２】
上記本文データには、以下で説明する方法によって所定の目印データが設定されている。例えば、上記目次が章単位に構成されている場合は、章単位で本文を区分けするために、上記本文データには、章毎に異なった目印データが設定されている。もちろん、索引単位で本文を区分けするために、上記本文データには、索引毎に異なった目印データを設定するようにしてもよい。
【０１４３】
上記目次索引表示制御手段３０は、図２７に示すように、表表紙２６１に備えられた表紙表示部２７１に目次を表示するとともに、裏表紙２６２に備えられた表紙表示部２７２に索引を表示する。この目次索引表示制御手段３０による表示処理は、記憶手段２８に記憶された表示用データに含まれる目次データと索引データとに基づいて行われる。
【０１４４】
なお、図２７では、表表紙２６１に備えられた表紙表示部２７１に目次を表示するとともに、裏表紙２６２に備えられた表紙表示部２７２に索引を表示する構成を例示しているが、本発明はこれに限定されるものではない。すなわち、上記表紙表示部２７１に目次を表示する構成、あるいは、上記表紙表示部２７２に索引を表示する構成のいずれか一方の構成のみを採用することもできる。
【０１４５】
上記目次データは、所定の単位（例えば節や章）毎に対応したタイトルデータ（文字等）、この単位の範囲データ（例えばページ番号や段落番号）、この表示用データの全体を示す題名データ等からなる。上記索引データは、所定の内容データ（例えば「環境」や「教育」といった語句）、この内容データに対応する所在番号（例えばページ番号や段落番号）等からなる。
【０１４６】
上記目次データに含まれるタイトルデータで示されるタイトルや、上記目次データに含まれる範囲データで示されるページ番号等は、表紙表示部２７１の所定位置に表示されるようになっている。上記索引データに含まれる内容データで示される各語句や、この所在番号で示されるページ番号等は、表紙表示部２７２の所定位置に表示されるようになっている。
【０１４７】
表示用データが目次データや索引データを備えていない場合（すなわち、本文データのみ備えている場合）、目次索引表示制御手段３０は、表示用データの内容を検索して目次データと索引データとを作成するようにしてもよい。また、目次索引表示制御手段３０は、上記タイトルとページ番号の他、本体２０に装着された電子ペーパの数を表紙表示部２７１あるいは２７２に表示するようにしてもよい。このようにすれば、本体２０に多数の電子ペーパが装着されている場合であっても、ユーザは、その枚数を容易に知ることができる。
【０１４８】
以下、図２８（ａ）（ｂ）に基づいて、表紙表示部２７１に表示されている目次の項目（ここでは第１章〜第４章）に対応した目印を上記表示制御手段２３が表示する動作を説明する。
【０１４９】
まず、図２８（ａ）に示すように、大きさが同一の目印１４ａの表示位置を上記目次の第１章〜第４章の章毎にオーバーラップさせる。このようにすれば、各章によるグループ分けができるので、各章に対応するページが表示されている電子ペーパを容易に見つけることができる。
【０１５０】
また、図２８（ｂ）に示すように、表示する位置が同一の目印１４ｂの表示色を上記目次の章毎に相違させる。このようにしても、上記と同様、各章によるグループ分けができるので、各章に対応するページが表示されている電子ペーパを容易に見つけることができる。
【０１５１】
なお、上記の説明では、目次や索引等が表示される表紙表示部を表紙あるいは背表紙３２の所定位置に備えることとしているが、本発明はこれに限定されるものではない。すなわち、目次や索引等は電子ペーパの表示部１１に表示するようにしてもよい。
【０１５２】
また、上記目次索引表示制御手段３０が行う制御は上記表示制御手段２３が行うようにしてもよい。すなわち、この場合の表示制御手段２３は、各電子ペーパ１０（ｅ）に対して表示用データの表示制御を行うとともに、表紙表示部２７１・２７２に対して目次や索引等の表示制御を行うことになる。
【０１５３】
［実施の形態６］
以下、本実施の形態を上記実施の形態１から５と異なる点のみ説明する。
【０１５４】
本実施の形態では、図３３に示すように、検索対象のデータを選択する選択手段４４を表紙表示部２７１・２７２や電子ペーパ１０の表示部１１に備えるとともに、この選択手段４４によって選択されたデータに基づいて本体２０の記憶手段２８の表示用データを検索する検索制御手段３３を制御部４２内に備えている。
【０１５５】
上記選択手段４４を実現する構成としては、図３０に示すように、筆記具（ペンなど先端部の尖った物）４５の接触位置を検出可能であるデジタイザ機能を備えた透明シート４４を用いる構成が考えられる。ここでは、電子ペーパ１０（１）の表示部１１の上面に上記透明シート４４を備えているものと仮定する。
【０１５６】
まず、上記表示部１１に表示されている文字のうち、検索したい文字の表示位置に、上記透明シート４４の上から筆記具を接触させる。これによって、透明シート４４は、上記検索したい文字の位置をデジタイザ機能によって検出し、このように検出した位置情報（アドレス）を検索制御手段３３に渡す。つまり、上記透明シート４４によって、検索したい文字を選択できたことになる。
【０１５７】
文字が表示されている位置を指定することが可能であれば、必ずしも、上記のようにデジタイザ機能を用いて位置検出する必要はない。例えば、文字が表示されている位置をマウスに代表されるポインティングデバイス等を用いて指定するようにしても同様の効果が得られる。
【０１５８】
上記検索制御手段３３は、受け取った位置情報に対応する文字データを記憶手段２８の表示用データから検索する。そして、上記実施の形態１で説明したように表示用データには目印データが設定されているので、このように検索した文字データ（表示用データ）に設定されている目印データを表示制御手段２３に渡す。これによって、表示制御手段２３は、受け取った目印データに基づいて電子ペーパ１０（１）に目印を表示する制御を行う。
【０１５９】
上記では、電子ペーパ１０（１）の表示部１１上から検索対象のデータを選択する場合について説明したが、以下では、本体２０から検索対象のデータを選択する場合について説明する。すなわち、以下の説明では、本体２０の表紙表示部２７１及び２７２が上記選択手段４４（デジタイザ機能）を備えているものとする。
【０１６０】
図３１に示すように、目次索引表示制御手段３０は、上記実施の形態５で説明したように記憶手段２８から目次データを取得し、この目次データに基づいた各章のタイトルと、この各章のページ番号とからなる各項目を本体２０の表紙表示部２７１に表示する。また、図３１に示す表示制御手段２３は、本体２０に装着されている各電子ペーパ１０（ｅ）に目印を表示している。
【０１６１】
図３１では、「第１章  ・・・・  ページ８」という項目が目印１５１、「第２章  ・・・・  ページ１５」という項目が目印１５２、「第３章  ・・・・  ページ２５」という項目が目印１５３、「第４章  ・・・・  ページ４５」という項目が目印１５４に対応している場合を例示している。
【０１６２】
また、図３１では、１つの章が１枚の電子ペーパによって構成される場合を例示しているが、もちろん、１つの章を構成する電子ペーパの枚数は複数であってもかまわない。この場合、目印（例えば目印１５１）は、１つの章（例えば第１章）を構成する複数の電子ペーパの全部に表示するようにしてもよいし、あるいは、１つの章（例えば第１章）を構成する複数の電子ペーパのうち、先頭のページを表示している電子ペーパのみに表示するようにしてもよい。
【０１６３】
表紙表示部２７１に表示されている「第２章」という項目が上記した方法で選択されると、検索制御手段３３は、記憶手段２８に記憶されている目次データから「第２章」という文字列を検索する。そして、「第２章」という文字列を含む目次データを検索すると、この目次データに含まれるページ番号に対応するページ（すなわち、第２章に対応するページ）を上記本文データから検索する。さらに、検索制御手段３３は、この検索結果（第２章に対応するページ）とともに、上記「第２章」という文字列を含む表示用データに設定された目印データを表示制御手段２３に渡す。これによって、表示制御手段２３は、受け取った検索結果と目印データとに基づいて、表示範囲を大きくするなど、上記目印１４２の表示を変化させる。
【０１６４】
次に、上記本体２０の表紙表示部２７２に表示された索引から、この索引の各項目に対応するページや語句等を検索する場合の動作について説明する。
【０１６５】
図３２に示すように、目次索引表示制御手段３０は、上記実施の形態５で説明したように記憶手段２８から索引データを取得し、この索引データに基づいて各語句とこの各語句のページ番号とを表紙表示部２７２に表示する。そして、表紙表示部２７２に表示されている「教育」という項目が選択されると、検索制御手段３３は、上記と同様の手順で検索処理を行った後、この検索結果とともに上記索引データに対応する目印データを表示制御手段２３に渡す。
【０１６６】
上記表示制御手段２３は、受け取った目印データに基づいて、本体２０に装着されている各電子ペーパ１０（ｅ）に目印を表示する。ここでは、「教育  ・・・・  ページ１５、３０」という項目に対応して、１５ページと３０ページを表示している２つの電子ペーパに目印１５５・１５６が表示されることになる。
【０１６７】
以上のように、本実施の形態によると、所望の語句等を検索することができるとともに、この検索結果に基づいたページに目印を表示することができる。このようにすれば、所望の語句等が表示されているページを容易に見つけることができるのはいうまでもない。
【０１６８】
［実施の形態７］
ところで、従来の電子ペーパファイルでは、複数枚の電子ペーパを重ねたとき、これら電子ペーパの上記側辺によって構成される面（本体２０の背板３１に対向する面、以下「側面３８」という）に表示を行うことができなかった。以下、この側面３８に目印１４を表示する制御（以下「側面表示」という）の動作を例示して、本実施の形態を上記実施の形態１から６と異なる点のみ説明する。
【０１６９】
まず、ユーザは、目印設定システムを備えたパーソナル・コンピュータ等から目印データを設定する。このパーソナル・コンピュータのハードディスクには、電子図書等のデータがページ単位で記憶されている。なお、このパーソナル・コンピュータは、目印設定システムを搭載している点を除けば通常のパーソナル・コンピュータであるため、ここでは図示しない。
【０１７０】
上記目印設定システムを立ち上げると、このシステムのメインメニューが当該パーソナル・コンピュータのモニタに表示される。これによって、キーボードやマウス等の入力手段を用いて、上記メインメニューに含まれている項目の中から、目印を設定するための項目（以下「目印付与設定項目」という）を選択すると、後に説明するページ指定項目とともに側面設定項目が当該パーソナル・コンピュータのモニタに表示されるようになっている。
【０１７１】
上記側面設定項目とは、側面３８に表示される目印１４に対応する目印データを容易に設定するための項目をいう。この側面設定項目をキーボードやマウス等の入力手段によって選択すると、以下に説明する側面設定メニュー３４が表示される。
【０１７２】
すなわち、上記側面設定メニュー３４には、図３５に示すように、「設定項目」３４ａと、この「設定項目」３４ａに対応する「側面図」３４ｂという２つのメニューがある。
【０１７３】
上記「側面図」３４ｂは、電子ペーパファイルの側面３８を表す。
【０１７４】
上記「設定項目」３４ａに含まれる「目印表示位置」には、「行方向」と「列方向」という項目がある。「列方向」は、側面図３４ｂ上でいう縦方向に相当する。「行方向」は、側面図３４ｂ上でいう横方向に相当する。
【０１７５】
上記「列方向」には、側面３８を列方向に分割したときの分割数を入力する。これによって、列方向の目印表示位置を設定することができる。例えば、分割数として「１０」を入力すると、側面３８が列方向に１０分割され、この分割された領域の上位側から順に、列方向の表示位置を示す番号「１」「２」・・・「１０」が設定される。なお、分割数が入力されなかった場合は、所定の初期値に基づいて同様の設定処理がなされる。
【０１７６】
上記「行方向」には、側面３８を行方向に分割したときの分割数を入力する。これによって、行方向の目印表示位置を設定することができる。例えば、分割数として「１」を入力すると、側面３８が行方向に１分割され、この分割された領域の左側から順に、行方向の表示位置を示す番号（ここでは「１」のみ）が設定される。なお、分割数が入力されなかった場合は、所定の初期値に基づいて同様の設定処理がなされる。
【０１７７】
このように、「目印表示位置」メニューでは、「行方向」と「列方向」の各項目によって、目印を表示する上記側面３８上の領域を設定するようになっている。
【０１７８】
上記「目印内容」メニューでは、目印の種別として「文字」あるいは「図形」のいずれか或いは両方を設定できるようになっており、また、目印の「形状」「大きさ」「位置」「色」「表示方法」を指定することができるようになっている。これら各項目に設定する内容は、上記「行方向」と「列方向」で指定した内容（ここでは、表示位置を示す各番号１、２、・・・、１０）と対応させた内容にしておく。
【０１７９】
上記「形状」の項目には、文字や文字コード等を入力するとともに、図形の形状や模様等を入力する。すなわち、上記「文字」としては、上記表示位置を示す番号１に「あ行」と入力し、同様にして、番号２に「か行」、・・・、番号１０に「わ行」と入力する。また、上記「図形」としては、番号１に「四角形・塗りつぶし」と入力し、同様にして、番号２に「四角形・塗りつぶし」、・・・、番号１０に「四角形・塗りつぶし」と入力する。なお、この文字や図形の形状等が入力されなかった場合は、所定の初期値に基づいて同様の処理がなされる。
【０１８０】
上記「大きさ」の項目には、文字のサイズ（ポイント等）を入力するとともに、図形のサイズ（基準表示幅に対する倍率等）を入力する。すなわち、上記「文字」としては、上記表示位置を示す番号１に「１４ポイント」と入力し、同様にして、番号２から番号１０に「１４ポイント」と入力する。また、上記「図形」としては、例えば「あ行」〜「さ行」に設定する図形の表示幅を「た行」〜「わ行」に設定する図形の表示幅の２倍にしたい場合は、番号１から番号３に「２倍」と入力し、番号４から番号１０に「１倍」と入力する。なお、文字や図形の各サイズが入力されなかった場合は、所定の初期値に基づいて同様の処理がなされる。
【０１８１】
上記「位置」の項目には、文字の表示位置（左側端等）を入力するとともに、図形の表示幅（ページ番号等）を入力する。すなわち、上記「文字」としては、上記表示位置を示す番号１に「中央」と入力し、同様にして、番号２に「右側中央」、・・・、番号１０に「右側中央」と入力する。また、上記「図形」としては、番号１に「ページ１からページ５０」と入力し、同様にして、番号２に「ページ５１からページ９５」、・・・、番号１０に「ページ２６０からページ２７５」と入力する。なお、文字の表示位置や図形の表示幅が入力されなかった場合は、所定の初期値に基づいて同様の処理がなされる。
【０１８２】
上記「色」の項目には、文字と図形の色を入力する。すなわち、上記「文字」としては、上記表示位置を示す番号１に「黒色」と入力し、同様にして、番号２から番号１０に「黒色」と入力する。また、上記「図形」としては、番号１に「黒色」と入力し、同様にして、番号２から番号１０に「黒色」と入力する。なお、文字や図形の色が入力されなかった場合は、所定の初期値に基づいて同様の処理がなされる。
【０１８３】
上記「表示方法」の項目では、文字や図形の表示を点灯させるか点滅させるかを指定する。すなわち、上記「文字」としては、上記表示位置を示す番号１に「点灯」と入力し、同様にして、番号２から番号１０に「点灯」と入力する。また、上記「図形」としては、番号１に「点滅」と入力し、同様にして、番号２から番号１０に「点滅」と入力する。なお、点灯させるか点滅させるかが指定されなかった場合は、所定の初期値に基づいて同様の処理がなされる。
【０１８４】
上記各項目について正確な設定を行うためには、電子ペーパファイルに装着された電子ペーパの枚数や、目印片１４ａの高さ１４３を予め設定しておくことが好ましい（複数枚の電子ペーパを重ねたときに１つ目印が構成されることから、ここでは、１枚の電子ペーパに表示される目印を「目印片１４ａ」と呼ぶ）。電子ペーパの枚数は行方向の画素数に対応し、目印片１４ａの高さ１４３は列方向の画素数に対応するからである。特に、フルカラー表示を行う場合には、１色につきモノカラー表示を行う場合に比べて行方向に３倍の枚数の電子ペーパが必要となることを考慮して上記各設定項目を設定する必要がある。
【０１８５】
上記側面設定メニュー３４に表示されている「側面図」３４ｂには、上記各設定項目の指定に基づいた目印が模擬的に表示されるため、この設定内容で表示される目印を確認することができる。なお、側面設定メニュー３４に表示されている「側面図」３４ｂに「設定項目」３４ａの各項目を直接入力するようにしてもよい。
【０１８６】
上記各設定項目の設定が終わり、側面設定メニュー３４に表示されている「（３）設定終了」の項目を選択すると、当該システムのメインメニューへ戻るようになっている。そして、上記のように設定された目印データに基づいて、ページ単位や段落単位等に設定される目印片データを作成する。このように作成された目印片データは、当該パーソナル・コンピュータが備えるハードディスクに記憶されているデータ（ページ単位や段落単位等）に設定されるようになっている。
【０１８７】
一方、上記メインメニューのページ指定項目では、キーボードやマウスなどの入力手段を用いて、目印片データを設定するページ番号を入力する。このページ指定項目にページ番号が入力されると、「目印片の表示位置」「目印片の色」「目印片の表示方法（点灯または点滅等）」等の形態設定項目（図示せず）が当該パーソナル・コンピュータのモニタに表示される。そして、ユーザが上記各形態設定項目を指定することによって、このように指定された形態設定項目に対応する目印片データが作成され、上記入力されたページ番号のページに設定される。もちろん、ページ単位に限らず、所定の段落や語句等の単位でも上記目印片データを設定できるようになっている。
【０１８８】
このように目印片データが設定されたデータは、図３３に示した上記制御部４２の信号授受手段２２を介して記憶手段２８に表示用データとして記憶される。そして、上記表示制御手段２３は、このように記憶された表示用データを各電子ペーパ１０（ｅ）に渡すとともに、この表示用データが持つ目印片データに基づいた目印片１４ａを各電子ペーパ１０（ｅ）に表示する。
【０１８９】
これによって、各電子ペーパ１０（ｅ）を所定数重ねたときの側面３８には、上記目印片１４ａの集合による目印１４が表れることになる。もちろん、ここでいう目印１４は、図３４に示すように、上記側面設定メニュー３４の「側面図」３４ｂと同様の文字や図柄である。
【０１９０】
また、上記目印データの設定方法としては、本体２０の表表紙２６１や裏表紙２６２に備えられた表紙表示部あるいは本体２０に装着された電子ペーパの表示部に上記したメニューを表示して、このメニューに必要事項を入力する方法もある。この場合、目印データは、本体２０の記憶手段２８に記憶されている表示用データに設定できる他、上記表示制御手段２３が備える所定の記憶手段にも設定できる。もちろん、上記電子ペーパファイルの本体２０や所定の電子ペーパの所定位置に、上記側面表示をＯＮ／ＯＦＦするキーを配置してもよい。
【０１９１】
以上のように、本実施の形態によると、電子ペーパ１０（ｅ）を所定数重ねたときの側面３８に文字や図柄等の目印を表示することができるので、目的の表示用データが表示されている電子ペーパを容易に見つけることができる。
【０１９２】
［実施の形態８］
以下、本実施の形態を上記実施の形態７と異なる点のみ説明する。
【０１９３】
図３６は、本電子ペーパファイルの構成図であり、図３７は、本電子ペーパファイルのブロック図である。すなわち、本実施の形態では、電子ペーパを所定数重ねたときの側面３８に文字や図柄等の目印１４を書き込んだり、表示されている目印１４を消去したりする書き込み手段４０を備えるようにした。
【０１９４】
上記書き込み手段４０は、デジタイザ機能を備えた透明シート３７と、本体２０の制御部４２に備えられた表示制御手段２３とからなる。図３６では、本体２０に接合されている側辺と対向する側辺２６１ａに透明シート３７が固着されているが、この透明シート３７は、上記側面３８に重ねることが可能であれば、その固着位置は特に限定されるものではない。
【０１９５】
次に、上記書き込み手段４０を備えた電子ペーパファイルの動作の一例を説明する。なお、ここでは、上記書き込み手段４０によって目印を書き込むか或いは消去するかを選択するための切り換えキー（図示せず）等が表表紙２６１の所定位置に配置されているものとする。
【０１９６】
まず、本体２０に装着されている所定数の電子ペーパ１０（ｅ）を、この本体２０の表表紙２６１と裏表紙２６２とで挟むようにして重ね合わせる。これによって、重ね合わされた電子ペーパ１０（ｅ）によって側面３８が構成されることになる。
【０１９７】
さらに、上記側辺２６１ａに固着されている透明シート３７を側面３８上に重ね合わせる。これによって、上記透明シート３７が備えるデジタイザ機能によって検出されるデータのアドレスと当該側面３８のアドレス（Ｘ，Ｙ）とを対応させる。このＸは、行方向の画素数（すなわち、電子ペーパ１０（ｅ）を重ねた幅方向の画素数）に対応し、Ｙは、列方向の画素数に対応している。
【０１９８】
そして、ユーザは、上記書き込み手段４０を選択した後、希望する目印を透明シート３７の上から筆記具で描く。これによって、透明シート３７は、当該透明シート３７と筆記具との接触点のアドレス（Ｘ，Ｙ）をデジタイザ機能によって検出し、このアドレス（Ｘ，Ｙ）を位置情報３０１として表示制御手段２３に渡す。
【０１９９】
上記表示制御手段２３は、自身が備えた記憶手段に設定された目印データと上記位置情報３０１とに基づいて、以下に説明するように、目印片１４ａが表示される範囲を画素単位で制御する。
【０２００】
例えば、上記実施の形態７で説明した操作によって目印データが「点灯」を意味する情報を持ち、また、上記位置情報３０１としてアドレス（１，１）（１，２）（２，３）（２，４）が送られたとする。この場合は、表表紙２６１側から１枚目の電子ペーパ１０１が備える目印片１４ａの高さ方向の上位側から１画素目と２画素目とを点灯させ、さらに、表表紙２６１側から２枚目の電子ペーパ１０２が備える目印片１４ａの高さ方向の上位側から３画素目と４画素目とを点灯させる。
【０２０１】
また、上記消去キーを選択した後、目印が表示されている側面３８上に透明シート３７の上から筆記具を接触させると、透明シート３７は、上記と同様、位置情報３０２を表示制御手段２３に渡す。これによって、表示制御手段２３は、この位置情報３０２に対応する目印片１４ａに対して、画素単位で表示取り消しの制御を行う。
【０２０２】
以上のように、本実施の形態によれば、目印１４を側面３８に書き込むことができるとともに、側面３８に書き込まれた目印１４を消去することができる。
【０２０３】
なお、上記の説明では、書き込み手段４０を実現する構成として、透明シート３７を用いた構成を例示しているが、マウスに代表されるポインティングデバイスを用いた構成を採用しても同様の効果が得られる。
【０２０４】
また、上記の説明では特に言及していないが、本実施の形態で説明した電子ペーパファイルに、実施の形態２で説明した回転構造を採用してもよいことはいうまでもない。
【０２０５】
［実施の形態９］
上記したように、従来の電子ペーパファイルによると、多数の電子ペーパが本体に装着されている場合、ユーザは、所望の表示用データがどの電子ペーパに表示されているのか把握することが困難であった。また、目次や索引のない表示用データにおいては、閲覧したい表示用データを探す手段として該表示用データの内容を順に調べるという方法を採らざるを得ず、所望の表示用データを探し出すことは、より困難であり時間もかかった。
【０２０６】
そこで、本実施の形態で採用する目印設定システムでは、「章」や「節」等の区切りの良い部分や、頻繁に閲覧される語句に対応する表示用データに目印を設定できるようにした。このようにすれば、電子ペーパに目次や索引がない状態の表示がなされても、所望の表示用データがどの電子ペーパに記載されているのか見当しやすくなる。
【０２０７】
もっとも、上記目印をもとに表示用データを表示するには表示用データに目印データを設定しておく必要があり、以下、この設定作業をパーソナル・コンピュータで実行する手順について説明する。
【０２０８】
図３８に示すハードディスク２００には、電子ペーパファイル１０での表示対象となる表示用データがページ単位に記憶されている。この状態で本目印設定システムをコンピュータ上で立ち上げると、このシステムのメニュー１０２が表示画面１０１に表示されるようになっている。
【０２０９】
上記メニュー１０２に含まれている項目の中から目印付与設定項目１０３を選択すると、図３９に示すようにページ指定項目２０１が表示されるので、このページ指定項目２０１をキーボードやマウス等の入力手段２１０を介してポインタ等で選択する。この状態で、入力手段２１０を用いて、目印対象データとなる表示用データのページ番号を入力欄２０２に入力する。ページ番号が入力されると、図４０に示す目印設定手段３０１は、このページ番号のページに係る表示用データを目印対象データとして認識する。
【０２１０】
これによって、形態設定項目２０３（例えば「表示範囲」「色」「点滅間隔」）が上記表示画面１０１に表示され、ユーザが、これら項目について所望の条件を選択すると、この選択に基づいて、目印の色情報・表示範囲情報・点滅情報（以下、一括して「目印形態情報」という）が作成されるようになっている。
【０２１１】
例えば、上記形態設定項目２０３の「表示範囲」が指示された場合は、図４１（ａ）左図に示すように、上記実施の形態１でいう電子ペーパ１０のモデル４０１が表示画面１０１に表示され、目印を表示したい電子ペーパ１０上の面をポインタ４０２で指定することができる状態となる。ここで特定の面（例えば表示面）が指定されると、この指定された面が図４１（ａ）右図に示すように拡大表示４０３されるので、さらに、目印を表示させる位置（例えば右側辺１１０）や目印の形状をポインタ４０２で指定する。
【０２１２】
なお、目印を表示したい面や目印の形状を指定する方法は、図４１（ａ）を用いて説明した方法に限定されるものではない。すなわち、図４１（ｂ）に示すようにプルダウンメニュー４０４を設け、このプルダウンメニュー４０４に挙げられている中から、目印を表示したい面や目印の形状を選択できるようにしてもよい。
【０２１３】
「色」や「点滅間隔」の指定方法も上記した方法に限定されるものではない。すなわち、「色」や「点滅間隔」に対応するプルダウンメニューを設けて、このプルダウンメニューにおいて、表示される色や点滅有無（あるいは点滅間隔）を選択できるようにしてもよい。また、色の指定においては、ユーザがＲＧＢそれぞれの表示レベルを調節して独自の色を作成し、このように作成した色を選択できるようにしてもよい。さらに、「点滅間隔」の指定においては、上記入力手段２０１を用いて点滅の周期等の具体的な時間を指定できるようにしてもよい。
【０２１４】
また、所定の「章」が属する全てのページ番号（あるいは最初と最後のページ番号）をユーザが上記入力欄２０２に入力すると、目印設定手段３０１は、このように入力された全てのページを上記目印対象データとして認識する。このように所定の「章」が属する複数のページが上記目印対象データとして認識されると、所定の「章」を構成する１ページに対して形態設定項目２０３にて目印形態情報を作成する。これによって、当該所定の「章」が属する全てのページに対して同じ目印形態情報が自動的に作成されるようになっている。
【０２１５】
しかし、このような手法を採用した場合は、図４２に示すように、所定の章５０１と当該章５０１と隣り合った章５０２の両方に同じ目印形態情報が設定されると、目印５０３が電子ペーパ１０に表示されても章の見分けがつかない。このような不具合を回避するため、上記目印設定手段３０１によって作成された目印形態情報は形態確認手段３０２に転送されるようになっている。この形態確認手段３０２は、隣り合う「章」に同じ目印形態情報が設定されているか否か判断し、同じ目印形態情報が設定されていると判断した場合はその旨を表示画面１０１に表示するようになっている。
【０２１６】
具体的には、上記したように、ユーザが目印設定手段３０１によって所望の目印形態情報を作成すると（図４３、Ｓ１）、このように作成された目印形態情報は形態確認手段３０２に転送される（図４３、Ｓ２）。これによって、形態確認手段３０２は、上記目印対象データと隣り合う「章」の表示用データ（以下「隣接表示用データ」という）の目印形態情報をハードディスク２００から取得する（図４３、Ｓ３）。そして、上記のように作成された目印形態情報と、上記隣接用表示用データに設定されている目印形態情報とを比較して、これら目印形態情報が同一であるか否かを判断する（図４３、Ｓ４）。
【０２１７】
上記比較処理において、両目印形態情報が同一でないと判断された場合は、上記作成された目印形態情報が、上記目印対象データとなるページに対応した表示用データの所定位置に設定される。
【０２１８】
一方、上記比較処理において、両目印形態情報が同一でないと判断された場合は、図４２に示すように、全く同じ目印が隣り合った「章」の電子ペーパ１０に表示されることになる。そこで、このような場合は、目印の境界を見分けることができなくなる旨の警告を表示画面１０１に表示するようになっている（図４３、Ｓ５）。
【０２１９】
上記警告があったとき、ユーザは、境界を見分けることができない目印に対応した目印形態情報の変更要否を選択する（図４３、Ｓ６）。例えば、目印の境界を見分ける必要がない場合は「変更しない」ボタンを選択する。一方、目印の境界を見分けることができるようにしたい場合は「変更する」ボタンを選択し、上記作成された目印形態情報または上記隣接表示用データに設定されている目印形態情報を変更する。そして、この変更に伴って目印形態情報が作成されると、再び、このように作成された目印形態情報が形態確認手段３０２に転送される（図４３、Ｓ７）。この後の処理は上記比較処理と同様である。
【０２２０】
上記目印形態情報は、上記目印対象データとなるページの表示用データの所定位置（例えば上記表示用データの先頭）に設定されるようにしてもよい。
【０２２１】
例えば、電子ペーパ１０に表示される文字の行内文字数が４０であり、１ページの行数が３０である場合に、目印形態情報として「１０ページ」「側面」「１〜１５行目」「赤色」「点滅間隔が短い」という条件をユーザが目印設定手段３０１から指定したときは、１０ページ目の表示用データの先頭位置に目印形態情報が設定されることになる。具体的には、図４４（ａ）で示すように、目印が表示される位置「１０ページの４０列目の１から１５行目」、目印の色「赤」、目印の点滅間隔「短い」という目印形態情報が設定されることになる。このような目印形態情報が設定された表示用データを電子ペーパに表示すると、図４５に示すように、表示用データの１０ページを表示する電子ペーパ３０の側面の１〜１５行目に赤色の目印３１が短い点滅間隔で表示されることになる。
【０２２２】
なお、図４４（ｂ）に示すように、上記目印形態情報は上記表示用データの終端部３２に設定されるようにしてもよい。また、電子ペーパ１０が上記記憶手段２８を備えている場合は、この記憶手段２８に、当該電子ペーパ１０に表示される目印形態情報を含む表示用データを記憶しておけば、この電子ペーパ１０を本体２０から取り外して他の本体２０に装着しても当該電子ペーパ１０に目印が表示されることになる。
【０２２３】
このように、表示用データと目印とを電子ペーパ１０に表示することができる構成を採用すれば、電子ペーパ１０の表示内容を見なくても、所定の目印を見つけることで、所望の表示用データが表示されている電子ペーパ１０を容易に見つけることができる。
【０２２４】
［実施の形態１０］
以下、本実施の形態を上記実施の形態９と異なる点のみ説明する。
【０２２５】
図３８に示す上記メニュー１０２を表示画面１０１に表示させた状態で、ユーザは、このメニュー１０２に含まれている項目の中から上記目印付与設定項目１０３を指示する。これによって、目印設定手段３０１が起動すると、図３９に示すように、上記形態設定項目２０３と並んで文字列選択項目２０４と文字列入力項目２０５とが表示画面１０１に表示される（図４６、Ｓ１１）。
【０２２６】
ここで、上記文字列選択項目２０４を選択すると（図４６、Ｓ１２）、上記表示用データの内容が表示画面１０１に表示されるので、ユーザは、この表示内容に基づいて所望の文字列をポインタで選択する（図４６、Ｓ１３）。次に、上記文字列入力項目２０５を選択すると（図４６、Ｓ１４）、文字列を入力する欄が表示画面１０１に表示されるので、ユーザは、入力手段２１０を用いて所望の文字列を入力する（図４６、Ｓ１５）。
【０２２７】
このように入力された文字列は図４０に示す検索手段３０４に転送される。これによって、検索手段３０４は、入力された文字列を検索対象として上記表示用データを自動的に検索するようになっている（図４６、Ｓ１６）。そして、入力された文字列が含まれるページ番号と、そのページ内にある文字列の位置（アドレス）とを検索すると、この検索結果を表示画面１０１に表示するようになっている。
【０２２８】
ここで、ユーザは、表示画面１０１に表示された検索結果から、上記目印形態情報を設定したくないページ番号と文字列の位置（アドレス）とを削除する（図４６、Ｓ１７）。ここで削除されなかった検索結果は目印設定手段３０１に転送されるようになっている（図４６、Ｓ１８）。
【０２２９】
このように転送された検索結果は自動的に上記目印対象データとなる。
【０２３０】
上記検索結果が転送された後、ユーザは、表示画面１０１に表示される形態設定項目２０３において目印形態情報を作成する。例えば、上記形態設定項目２０３（例えば「表示範囲」「色」「点滅間隔」）をユーザが指定すると、これら項目に所望の条件を入力することができる状態となる。そこで、それぞれの項目について所望の条件を入力すると、この入力内容に基づいて目印形態情報が作成されるようになっている。
【０２３１】
なお、上記文字列の字体、その背景の色、上記文字列を点滅表示させるか否か、上記文字列の領域と同じ行あるいは列の端部に目印を表示するか否かを選択できるプルダウンメニューを設け、上記目印形態情報を作成することができるようにしてもよい。
【０２３２】
ところで、上記のように目印形態情報を作成すると、所定の文字列に対する目印形態情報の表示範囲が他の文字列に対する目印形態情報の表示範囲と同一となってしまう場合がある。このような不具合を回避するために、以下の手法を採用するのが好ましい。
【０２３３】
すなわち、所定の文字列に対して目印形態情報が作成されると（図４６、Ｓ１９）、このように作成された目印形態情報の表示範囲の情報が上記形態確認手段３０２に転送されるようにしておく（図４６、Ｓ２０）。これによって、形態確認手段３０２は、ハードディスク２００に記憶されている表示用データの中から上記目印形態情報の表示範囲の情報を取得し（図４６、Ｓ２１）、このように取得した表示範囲と上記作成された目印形態情報の表示範囲とが重複しているか否かを判断する（図４６、Ｓ２２）。
【０２３４】
ここで、上記表示範囲が重複していないと形態確認手段３０２が判断した場合は、上記作成された目印形態情報が、上記目印対象データがある表示用データのページの所定位置（例えば、当該ページに対する表示用データの先頭）に設定される。一方、上記表示範囲が重複していると形態確認手段３０２が判断した場合は、上記ハードディスク２００に記憶されている目印形態情報に、上記作成された目印形態情報を「上書きする」あるいは「上書きしない」のいずれかを指示するためのボタンが表示画面１０１に表示される（図４６、Ｓ２３）。
【０２３５】
ここで、「上書きしない」ボタンが選択された場合は（図４６、Ｓ２３，Ｎ）、上記した入力欄２０２、文字列選択項目２０４または文字列入力項目２０５が再び表示画面１０１が表示される。そして、これら項目に所定の条件が入力され、実施の形態１で説明したように目印対象データが選択されると、形態設定項目２０３は、目印の表示範囲が重ならないように上記目印形態情報を変更する（図４６、Ｓ２４）。この変更が終了すると、変更後の目印形態情報が再び形態確認手段３０２に転送され、上記と同様、他の目印と表示範囲が重なるか否かの比較処理がされる。この比較処理をすることで、同一の位置に複数の目印形態情報が設定されることがなくなるので、全ての目印が重なることなく表示されることになる。
【０２３６】
図４７（ａ）に示すように、ユーザが「環境」の文字列を目印対象データとして指定すると、目印対象データであることを示す情報（ここでは「＆」と記載する）が、「環境」を表現するコード（以下、単に「環境」と記載する）の前後に設定される。次に、文字列を青で表示する旨の目印形態情報を作成すると、「＆」の直ぐ後の位置に「文字列を青で表示」が設定されるようになる。これによって、「＆」で挟まれた「環境」は、電子ペーパで表示される際には青色で表示されることになる。
【０２３７】
図４７（ｂ）に示すように、表示用データの終端部に目印形態情報を設定するようにしてもよい。目印対象データとなる「環境」のアドレスを上記検索手段３０４で検索した場合、目印設定手段３０１は、表示用データにある「環境」のアドレスを目印対象データとして保持している。従って、このアドレスの文字列を青で表示するという情報を表示用データの終端部３２に設定するようにしてもよい。このような目印形態情報が設定された表示用データを電子ペーパに表示すると、図４８に示すように、「環境」が青色で表示されることになる。
【０２３８】
［実施の形態１１］
以下、本実施の形態を上記実施の形態９または１０と異なる点のみ説明する。
【０２３９】
図３８に示す上記メニュー１０２を表示画面１０１に表示させた状態で、ユーザは、このメニュー１０２に含まれている項目の中から目印付与設定項目１０３を選択する。このように目印付与設定項目１０３が選択されると、図３９に示すように、表示指定領域項目２０６が表示される。この表示指定領域項目２０６が指定されると表示指定領域設定手段３０５が起動し、上記ハードディスク２００に記憶されている表示用データ（例えば電子図書８０１）が、図４９に示すように表示画面１０１に表示される。
【０２４０】
次に、ユーザは、上記表示画面１０１に表示されている電子図書８０１の表示内容の中から、所定の表示領域（例えば、目次にある「第２章・・・８〜１５ページ」と表示された領域）をポインタ等で囲むことで選択する。これによって、表示指定領域設定手段３０５は、このように選択された領域を表示指定領域８０２として指定するようになっている。
【０２４１】
上記表示指定領域８０２が指定されると、図４０に示す表示指定領域設定手段３０５は、この表示指定領域８０２の位置情報を目印設定手段３０１に転送し、図５０に示すように、ページ指定項目２０１・文字列選択項目２０４・文字列入力項目２０５を表示画面１０１に表示する。これによって、ユーザは、実施の形態９または１０で説明したように目印設定手段３０１を用いて目印対象データを指定し、さらに目印形態情報を作成する。ここでは、上記表示指定領域８０２に対応したページ（すなわち８〜１５ページ）を目印対象データと指定し、目印の表示位置が「側面全面」であって色が「黄色」である旨の目印形態情報を実施の形態９または１０で説明したように作成しておく。
【０２４２】
このように指定された目印対象データと目印形態情報とは、上記表示指定領域８０２に表示される情報（以下「表示指定データ」という）に関連付けされてハードディスク２００に記憶されるようになっている。
【０２４３】
上記表示用データのうちの「第２章」を電子ペーパファイル１０にて閲覧する場合、ユーザは、まず、この表示用データを電子ペーパ１０に表示させる。次に、図５１（ａ）に示すように、「第２章・・・８〜１５ページ」と表示された目次中の領域（すなわち表示指定領域８０２）をポインタで指定する。このように表示指定領域８０２が指定されると、図５１（ｂ）に示すように、これに関連付けられた目印対象データと目印形態情報とに基づいて、８〜１５ページを表示している電子ペーパ１０の側面全面に黄色の目印３４が表示されることになる。ここで点灯した黄色の目印は、第２章の内容が表示されているページに付与されたものであるから、迅速に第２章が表示されているページを見つけることが可能となる。
【０２４４】
上記表示指定領域８０２として目次のタイトル部分を指定するとともに、この表示指定領域８０２に関連付ける目印対象データとして、当該タイトルの内容が表示されるページを指定するようにしてもよい。このようにすれば、タイトルの内容が表示される電子ペーパ１０に目印が点灯されることになるため、このタイトルの内容が表示されるページを迅速に見つけることが可能となる。
【０２４５】
同様に、上記表示指定領域８０２として、表示用データの索引項目にある所定の文字列を指定するとともに、この表示指定領域８０２に関連付ける目印対象データとして、当該文字列が表示されているページを指定し、さらに、目印の表示範囲を当該ページの側面にしておくようにしてもよい。このようにすれば、表示用データを電子ペーパ１０にて閲覧するとき、索引項目にある所定の文字列をポインタ等で指定すると、この文字列が表示されているページに目印が表示されることになるので、検索を迅速に行うことができる。
【０２４６】
また、上記表示指定データは、これと対応する目印が表示されている間は、当該目印と同じ形態（例えば同じ色）で表示するようにしてもよい。この場合は、表示指定データと関連付けて記憶されている目印形態情報を特定し、この目印形態情報に含まれる色情報を当該表示指定データに設定することになる。
【０２４７】
以上のように、本実施の形態では、表示指定領域８０２をユーザが指定したとき、この表示指定領域８０２に関連付けられた目印が表示されることとなる。従って、複数の目印形態情報の表示範囲が重複していても、目印形態情報の表示範囲が重複するか否かを形態確認手段３０２が判断する処理は行わなくてもよい。
【０２４８】
また、本実施の形態によると、所望の目印のみを表示させることが可能なため、多数の目印を設定した場合であっても、その中から所望の目印を容易に見つけることができる。さらに、同一の位置に複数の目印を表示することができるため、上記目印形態情報の表示範囲を設定する際に、他の目印によって当該目印の表示範囲が制限されることはない。
【０２４９】
［実施の形態１２］
ここでは、図５２にしたがって、目次のない表示用データから目次を作成する目次作成手段３０６について、上記実施の形態１１と異なる点のみ説明する。
【０２５０】
まず、上記メニュー１０２を表示画面１０１に表示させた状態で、この表示画面１０１に表示されている目次作成項目１０４をユーザが指示すると、上記目次作成手段３０６が起動する（図５２、Ｓ３１）。このように目次作成手段３０６が起動すると、図５３に示すように、所定の文字列、文字のサイズ、スタイル、色を入力するための目次抽出項目１２０１が表示画面１０１に表示されるようになっている。
【０２５１】
これによって、ユーザは、目次特有と考えられる文字列（例えば「章」や「節」等の文字列）を上記目次抽出項目１２０１に入力する。この「章」「節」等の文字列と本文の文字列とで、その文字サイズ・文字スタイル・色などが異なる場合は、この「章」「節」等の文字列の文字サイズ・文字スタイル・色などを上記目次抽出項目１２０１に入力するようにしてもよい。
【０２５２】
これによって、目次作成手段３０６は、上記目次抽出項目１２０１に入力された文字列「章」「節」等を検索条件として（図５２、Ｓ３２）、所定の表示用データを検索する。この検索に該当した文字列をページの昇順に抽出するとともに、この検索結果に該当した文字列が格納されている表示用データ内のアドレス（例えばページ番号）を、当該文字列とともに表示画面１０１に表示する（図５２、Ｓ３３）。このように作成した目次が思い通り作成されていなければ（図５２、Ｓ３４，Ｎ）、再度、上記目次抽出項目１２０１に所定の検索条件を入力するか否を選択できるようになっている（図５２、Ｓ３５）。
【０２５３】
以上のように、本実施の形態によると、目次を作成することができるので、目次のない表示用データを電子ペーパ１０に表示する場合であっても、所望の表示用データが表示されている電子ペーパ１０を容易に見つけることができる。
【０２５４】
なお、上記コンピュータと電子ペーパ１０とが電気的に接続され、かつ、上記表示画面１０１で表示される表示内容を電子ペーパ１０が表示できれば、この電子ペーパ１０を表示媒体として利用してもよい。
【０２５５】
また、電子ペーパ１０を表示媒体として上記目印形態情報を設定する場合は、実際の電子ペーパ１０に上記目印形態情報に基づいて目印を表示して、このように表示された目印を確認しながら上記目印形態情報を設定することができるようにしてもよい。
【０２５６】
さらに、上記の説明では、本目印設定システムをパーソナル・コンピュータ上で動作させることとしているが、本発明はこれに限定されるものではない。すなわち、電子ペーパ１０やＰＤＡであっても、それが本目印設定システムの動作環境を備えている以上、上記した目印設定処理を行うことができる。
【図面の簡単な説明】
【図１】  本発明を適用した電子ペーパファイルの構成図
【図２】  本発明を適用した電子ペーパの外観図
【図３】  本発明を適用した電子ペーパの表示部の構成図
【図４】  本発明を適用した電子ペーパの表示部のデバイス構成図
【図５】  本発明を適用した電子ペーパファイルのブロック図
【図６】  本発明を適用した電子ペーパファイルのフローチャート
【図７】  本体側接続端子が本体に固定されている状態を示す図
【図８】  接続順序識別番号を付与する動作を示すフローチャート
【図９】  本体側接続端子における電子ペーパの着脱状態検知方法の説明図
【図１０】  本体側接続端子における電子ペーパの着脱状態検知方法の説明図
【図１１】  本体側接続端子における電子ペーパの着脱状態検知方法の説明図
【図１２】  回転型構造を採用した本体の外観図
【図１３】  本体側接続端子の位置を検出する方法を示す図
【図１４】  接続体内にフォトカプラを配設したことを示す図
【図１５】  接続順序識別番号を付与する動作を示すフローチャート
【図１６】  中間固定片を用いたことを示す図
【図１７】  中間固定片に素子固定軸を配設した図
【図１８】  本体側接続端子の位置を検出する方法の説明図
【図１９】  本体側接続端子の配置例を示す図
【図２０】  電子ペーパ側接続端子の形状を示す図
【図２１】  本体側接続端子の形状を示す図
【図２２】  回転型構造を採用した本体の外観構成図
【図２３】  回転型構造を採用した本体の外観構成図
【図２４】  本発明を適用した電子ペーパファイルのブロック図
【図２５】  本発明を適用した電子ペーパファイルのフローチャート
【図２６】  本発明を適用した電子ペーパファイルのブロック図
【図２７】  本発明を適用した電子ペーパファイルの外観図
【図２８】  目印によるグループ分けの説明図
【図２９】  本発明を適用した電子ペーパファイルのブロック図
【図３０】  検索例を示す図
【図３１】  目次による検索例を示す図
【図３２】  索引による検索例を示す図
【図３３】  本発明を適用した電子ペーパファイルのブロック図
【図３４】  本発明を適用した電子ペーパファイルの外観図
【図３５】  本発明を適用した電子ペーパファイルの側面設定メニューを示す図
【図３６】  本発明を適用した電子ペーパファイルのその他の外観図
【図３７】  本発明を適用した電子ペーパファイルのその他のブロック図
【図３８】  本目印設定システムを立ち上げたときに表示される項目を示す図
【図３９】  目印付与設定項目を選択したときの表示状態を示す図
【図４０】  本発明の概略を示す構成図
【図４１】  目印形態情報を作成する過程例を示す図
【図４２】  隣り合った「章」に同じ目印が表示された状態を示す図
【図４３】  目印形態情報の設定動作を示すフローチャート
【図４４】  目印形態情報が設定された表示用データの概念図
【図４５】  目印形態情報に基づいた目印が表示されている状態を示す図
【図４６】  目印の表示範囲が重なることを回避する過程を示す図
【図４７】  目印形態情報が設定された表示用データの概念図
【図４８】  目印形態情報に基づいた目印が表示されている状態を示す図
【図４９】  表示指定領域を指定する方法を示す図
【図５０】  表示指定領域を選択した後の表示状態を示す図
【図５１】  目印形態情報に基づいた目印が表示されている状態を示す図
【図５２】  目次を作成する過程を示すフローチャート
【図５３】  表示画面に目次抽出項が表示されている状態を示す図
【図１】
0004009195.tif 000002
【図２】
0004009195.tif 000003
【図３】
0004009195.tif 000004
【図４】
0004009195.tif 000005
【図５】
0004009195.tif 000006
【図６】
0004009195.tif 000007
【図７】
0004009195.tif 000008
【図８】
0004009195.tif 000009
【図９】
0004009195.tif 000010
【図１０】
0004009195.tif 000011
【図１１】
0004009195.tif 000012
【図１２】
0004009195.tif 000013
【図１３】
0004009195.tif 000014
【図１４】
0004009195.tif 000015
【図１５】
0004009195.tif 000016
【図１６】
0004009195.tif 000017
【図１７】
0004009195.tif 000018
【図１８】
0004009195.tif 000019
【図１９】
0004009195.tif 000020
【図２０】
0004009195.tif 000021
【図２１】
0004009195.tif 000022
【図２２】
0004009195.tif 000023
【図２３】
0004009195.tif 000024
【図２４】
0004009195.tif 000025
【図２５】
0004009195.tif 000026
【図２６】
0004009195.tif 000027
【図２７】
0004009195.tif 000028
【図２８】
0004009195.tif 000029
【図２９】
0004009195.tif 000030
【図３０】
0004009195.tif 000031
【図３１】
0004009195.tif 000032
【図３２】
0004009195.tif 000033
【図３３】
0004009195.tif 000034
【図３４】
0004009195.tif 000035
【図３５】
0004009195.tif 000036
【図３６】
0004009195.tif 000037
【図３７】
0004009195.tif 000038
【図３８】
0004009195.tif 000039
【図３９】
0004009195.tif 000040
【図４０】
0004009195.tif 000041
【図４１】
0004009195.tif 000042
【図４２】
0004009195.tif 000043
【図４３】
0004009195.tif 000044
【図４４】
0004009195.tif 000045
【図４５】
0004009195.tif 000046
【図４６】
0004009195.tif 000047
【図４７】
0004009195.tif 000048
【図４８】
0004009195.tif 000049
【図４９】
0004009195.tif 000050
【図５０】
0004009195.tif 000051
【図５１】
0004009195.tif 000052
【図５２】
0004009195.tif 000053
【図５３】
0004009195.tif 000054